(57)【特許請求の範囲】
【請求項１】
ユーザ機器（ＵＥ）が実行する、ワイヤレス通信のための方法であって、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を備える、方法。
【請求項２】
前記送信に関連する少なくとも１つのトラフィック対パイロット比（ＴＰＲ）インジケータを受信することと、
前記受信された第２のセル固有基準信号の測定電力レベルと、前記少なくとも１つのＴＰＲインジケータとに少なくとも部分的に基づいて前記送信を復調することと
をさらに備える、請求項１に記載の方法。
【請求項３】
前記第１のセル固有基準信号の前記測定値と前記受信された第２のセル固有基準信号の前記測定電力レベルとに少なくとも部分的に基づいて前記それぞれの第２の送信電力レベルを識別することをさらに備える、
請求項２に記載の方法。
【請求項４】
前記それぞれの第２の送信電力レベルの少なくとも１つのインジケータを受信することをさらに備える、
請求項１に記載の方法。
【請求項５】
送信キャリアの数に少なくとも部分的に基づいて前記キャリアの第１のセットのうちの少なくとも１つのキャリアのためのチャネルフィードバック測定値を決定することをさらに備える、
請求項１に記載の方法。
【請求項６】
基地局に、電力スペクトル密度測定値を示すチャネル状態情報（ＣＳＩ）フィードバックメッセージを送信することをさらに備える、
請求項５に記載の方法。
【請求項７】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項１に記載の方法。
【請求項８】
前記それぞれの第２の送信電力レベルは、前記それぞれの第１の送信電力レベルに対する事前構成された値のセットのうちの値を備える、
請求項１に記載の方法。
【請求項９】
ワイヤレス通信のための装置であって、
発見基準信号（ＤＲＳ）構成に従って無線周波数（ＲＦ）スペクトル帯域の複数のキャリアをモニタするための手段、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定するための手段、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信するための手段、前記送信は、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を備える、装置。
【請求項１０】
前記送信に関連する少なくとも１つのトラフィック対パイロット比（ＴＰＲ）インジケータを受信するための手段と、
前記受信された第２のセル固有基準信号の測定電力レベルと、前記少なくとも１つのＴＰＲインジケータとに少なくとも部分的に基づいて前記送信を復調するための手段と
をさらに備える、請求項９に記載の装置。
【請求項１１】
前記第１のセル固有基準信号の前記測定値と前記受信された第２のセル固有基準信号の前記測定電力レベルとに少なくとも部分的に基づいて前記それぞれの第２の送信電力レベルを識別するための手段をさらに備える、
請求項１０に記載の装置。
【請求項１２】
前記それぞれの第２の送信電力レベルの少なくとも１つのインジケータを受信するための手段をさらに備える、
請求項９に記載の装置。
【請求項１３】
送信キャリアの数に少なくとも部分的に基づいて前記キャリアの第１のセットのうちの少なくとも１つのキャリアのためのチャネルフィードバック測定値を決定するための手段をさらに備える、
請求項９に記載の装置。
【請求項１４】
基地局に、電力スペクトル密度測定値を示すチャネル状態情報（ＣＳＩ）フィードバックメッセージを送信するための手段をさらに備える、
請求項１３に記載の装置。
【請求項１５】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項９に記載の装置。
【請求項１６】
前記それぞれの第２の送信電力レベルは、前記それぞれの第１の送信電力レベルに対する事前構成された値のセットのうちの値を備える、
請求項９に記載の装置。
【請求項１７】
ワイヤレス通信のための装置であって、
プロセッサと、
前記プロセッサと電子通信しているメモリと、
前記メモリに記憶され、前記プロセッサによって実行されたとき、前記装置に、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信が、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を行わせるように動作可能な命令と
を備える、装置。
【請求項１８】
前記命令は、
前記送信に関連する少なくとも１つのトラフィック対パイロット比（ＴＰＲ）インジケータを受信することと、
前記受信された第２の基準信号の測定電力レベルと、前記少なくとも１つのＴＰＲインジケータとに少なくとも部分的に基づいて前記送信を復調することと
を行うように前記プロセッサによってさらに実行可能である、請求項１７に記載の装置。
【請求項１９】
前記命令は、
前記第１のセル固有基準信号の前記測定値と前記受信された第２のセル固有基準信号の前記測定電力レベルとに少なくとも部分的に基づいて前記それぞれの第２の送信電力レベルを識別することを行うようにプロセッサによってさらに実行可能である、
請求項１８に記載の装置。
【請求項２０】
前記命令は、
前記それぞれの第２の送信電力レベルの少なくとも１つのインジケータを受信することを行うようにプロセッサによってさらに実行可能である、
請求項１７に記載の装置。
【請求項２１】
前記命令は、
送信キャリアの数に少なくとも部分的に基づいて前記キャリアの第１のセットのうちの少なくとも１つのキャリアのためのチャネルフィードバック測定値を決定することを行うように前記プロセッサによってさらに実行可能である、
請求項１７に記載の装置。
【請求項２２】
前記命令が、
基地局に、電力スペクトル密度測定値を示すチャネル状態情報（ＣＳＩ）フィードバックメッセージを送信することを行うように前記プロセッサによってさらに実行可能である、
請求項２１に記載の装置。
【請求項２３】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項１７に記載の装置。
【請求項２４】
前記それぞれの第２の送信電力レベルは、前記それぞれの第１の送信電力レベルに対する事前構成された値のセットのうちの値を備える、
請求項１７に記載の装置。
【請求項２５】
ワイヤレス通信のためのコードを備えるコンピュータプログラムであって、前記コードは、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２のセル固有基準信号を含み、
前記それぞれの第２の送信電力レベルは、前記キャリアの第１のセットのうちの少なくとも１つのための前記それぞれの第１の送信電力レベルと異なる、と
を行うためにプロセッサによって実行可能な命令を備える、コンピュータプログラム。
【請求項２６】
前記命令は、
前記送信に関連する少なくとも１つのトラフィック対パイロット比（ＴＰＲ）インジケータを受信することと、
前記受信された第２の基準信号の測定電力レベルと、前記少なくとも１つのＴＰＲインジケータとに少なくとも部分的に基づいて前記送信を復調することと
を行うようにプロセッサによってさらに実行可能である、請求項２５に記載のコンピュータプログラム。
【請求項２７】
前記命令は、前記第１のセル固有基準信号の前記測定値と前記受信された第２のセル固有基準信号の前記測定電力レベルとに少なくとも部分的に基づいて前記それぞれの第２の送信電力レベルを識別することを行うようにプロセッサによってさらに実行可能である、
請求項２６に記載のコンピュータプログラム。
【請求項２８】
前記それぞれの第２の送信電力レベルの少なくとも１つのインジケータを受信することを行うようにプロセッサによってさらに実行可能である、
請求項２５に記載のコンピュータプログラム。
【請求項２９】
前記命令は、
送信キャリアの数に少なくとも部分的に基づいて前記キャリアの第１のセットのうちの少なくとも１つのキャリアのためのチャネルフィードバック測定値を決定することを行うように前記プロセッサによってさらに実行可能である、
請求項２５に記載のコンピュータプログラム。
【請求項３０】
前記命令は、
基地局に、電力スペクトル密度測定値を示すチャネル状態情報（ＣＳＩ）フィードバックメッセージを送信することを行うように前記プロセッサによってさらに実行可能である、
請求項２９に記載のコンピュータプログラム。
【請求項３１】
前記ネットワーク報告測定値を前記決定することは、前記キャリアの第１のセットのための前記それぞれの第２の送信電力レベルで送信される前記第２のセル固有基準信号のチャネル測定値に部分的に基づく、
請求項２５に記載のコンピュータプログラム。
【請求項３２】
前記それぞれの第２の送信電力レベルは、前記それぞれの第１の送信電力レベルに対する事前構成された値のセットのうちの値を備える、
請求項２５に記載のコンピュータプログラム。
【発明の詳細な説明】
【相互参照】
【０００１】
[0001]本特許出願は、各々が本出願の譲受人に譲渡された、２０１６年５月１８日に出願された、「Ｔｅｃｈｎｉｑｕｅｓ  ｆｏｒ  Ｔｒａｎｓｍｉｔｔｉｎｇ  ｏｎ  Ｍｕｌｔｉｐｌｅ  Ｃａｒｒｉｅｒｓ  ｏｆ  ａ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｚｈａｎｇらによる米国特許出願第１５／１５７，６１２号、および２０１５年６月２４日に出願された、「Ｔｅｃｈｎｉｑｕｅｓ  ｆｏｒ  Ｔｒａｎｓｍｉｔｔｉｎｇ  ｏｎ  Ｍｕｌｔｉｐｌｅ  Ｃａｒｒｉｅｒｓ  ｏｆ  ａ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｚｈａｎｇらによる米国仮特許出願第６２／１８４，２１７号の優先権を主張する。
【技術分野】
【０００２】
[0002]本開示は、たとえば、ワイヤレス通信システムに関し、より詳細には、共有無線周波数スペクトル帯域の複数のキャリア上で送信するための技法に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のための）ダウンリンクキャリアと、（たとえば、ＵＥから基地局への送信のための）アップリンクキャリアとの上でＵＥと通信し得る。
【０００５】
[0005]いくつかの通信モードは、共有無線周波数スペクトル帯域を通じた、またはセルラーネットワークの異なる無線周波数スペクトル帯域（たとえば、専用無線周波数スペクトル帯域および共有無線周波数スペクトル帯域）を通じた基地局とＵＥとの間の通信を可能にし得る。専用（たとえば、認可）無線周波数スペクトル帯域を使用するセルラーネットワークにおけるデータトラフィックの増加とともに、共有（たとえば、無認可）無線周波数スペクトル帯域への少なくとも一部のデータトラフィックのオフロードは、セルラー事業者にデータ送信容量の増強のための機会を与え得る。共有無線周波数スペクトル帯域はまた、専用無線周波数スペクトル帯域へのアクセスが利用不可能であるエリア中でサービスを提供し得る。
【０００６】
[0006]共有無線周波数スペクトル帯域へのアクセスを獲得し、共有無線周波数スペクトル帯域上で通信するより前に、基地局またはＵＥは、共有無線周波数スペクトル帯域の１つまたは複数のキャリアへのアクセスを求めて競合するために、リッスンビフォアトーク（ＬＢＴ：listen-before-talk）プロシージャを実行し得る。基地局またはＵＥが、共有無線周波数スペクトル帯域の複数のキャリアへのアクセスを求めて並行して競合するとき、いくつかのキャリアへのアクセスが勝ち得るが、他のキャリアへのアクセスが負け得る。共有無線周波数スペクトル帯域の１つまたは複数のサブバンドにわたって電力制限があり、基地局またはＵＥが送信するキャリアのセットが、無線フレームごとに変動するとき、受信機における測定および復調が、無線フレームごとにキャリア単位で、変動する送信電力の送信機の使用によって影響を及ぼされ得る。
【発明の概要】
【０００７】
[0007]電力制限は、共有無線周波数スペクトル帯域で動作する送信機に存在し得、共有無線周波数帯域のキャリアへのアクセスは、競合ベースであり得る。電力制限と送信のために利用可能なキャリアの変動する数とにより、異なる送信は、変動する送信電力レベルを有し、受信機による送信の復調が困難になり得る。より正確なチャネル状態フィードバックを与え、より効率的なトラフィック復調のために、受信機は、送信機が送信のために使用するキャリアの数に基づいて送信機によって送信される基準信号の送信電力レベルを決定し得る。送信機は、送信のために使用されるキャリアの数に従って基準信号のための送信電力をスケーリングし得る。受信機は、事前構成された送信電力レベルに対するスケーリングされた基準信号の相対電力レベルに基づいて送信のために使用されるキャリアの数を検出し得る。代替的に、送信機は、送信のために使用されるキャリアの数を示し得る。
【０００８】
[0008]受信機は、トラフィック復調において使用し、チャネル状態フィードバック報告を決定するための基準信号のキャリア依存の送信電力レベルを決定し得る。電力スケーリングされない基準信号（たとえば、ＤＲＳ）の受信電力レベルと、送信のために使用されるキャリアの数に依存する電力スケーリングされた基準信号の受信電力レベルとを比較することによって、受信機は、電力スケーリングされた基準信号の送信のために使用されるキャリアの数を決定し得る。代替的に、受信機は、送信機から、電力スケーリングされた基準信号を搬送する送信中でキャリアの数のインジケータを受信し得る。送信のために使用されるキャリアの数に基づいて、受信機は、第２の基準信号の送信電力レベルを決定し得る。さらに、電力スケーリングされた基準信号の決定された送信電力レベルに基づいて、受信機は、トラフィックを復調し、ならびに送信機への送信のためのチャネル状態フィードバックを生成し得る。
【０００９】
[0009]さらに、受信機は、電力スケーリングされない基準信号を測定することによって無線リソース管理（ＲＲＭ）構成を決定し得、ここで、ＲＲＭ構成は、電力スケーリングされない基準信号の送信電力レベルを示し得る。送信のために使用されるキャリアの数と、電力スケーリングされない基準信号の受信電力レベルと、ＲＲＭ構成とに基づいて、受信機は、電力スケーリングされた基準信号の送信電力レベルを決定し得る。
【００１０】
[0010]送信機は、受信機が基準信号の送信電力レベルを決定するように基準信号を構成し得る。送信機は、電力レベル制限とは無関係である電力レベルで第１の基準信号（たとえば、ＤＲＳ）のセットを送信し得る。送信機はまた、送信のために使用されるキャリアの数に依存する電力レベルでのデータ送信中に第２の基準信号（たとえば、ＣＳＩ−ＲＳ、ＣＲＳ）を送信し得る。これらのそれぞれの送信電力レベルにより、受信機は、第２の基準信号のために使用されるキャリアの数を決定し、その後、第２の基準信号のための送信電力レベルを決定することが可能になり得る。
【００１１】
[0011]共有無線周波数スペクトル帯域の複数のキャリアを通じた通信のためのシステム、方法、および装置について説明する。本開示の態様によれば、ＵＥは、複数のキャリアのうちの１つまたは複数を通じて送信される第１の基準信号のための発見基準信号（ＤＲＳ）構成に従って、無線周波数スペクトル帯域の複数のキャリアのうちのキャリアをモニタし得る。第１の基準信号は、異なる時間にＲＦスペクトル帯域のキャリアの異なるセット中でＵＥにおいて受信され得、複数のキャリアのために事前構成されたそれぞれの第１の送信電力レベルに関連付けられ得る。ＵＥは、第１の基準信号のインスタンスのセットを受信し得、インスタンスのセットを測定し得る。ＵＥは、次いで、第１の基準信号のインスタンスのセットの測定値に基づいてセル測定を実行し得る。ＵＥはまた、複数のキャリアのうちのキャリアの第１のセットを通じて第２の基準信号を含む送信を受信し、キャリアの第１のセットのためのそれぞれの第２の送信電力レベルを識別し得、ここにおいて、それぞれの第２の送信電力レベルは、送信の送信キャリアの数に依存する。
【００１２】
[0012]ワイヤレス通信の方法について説明する。本方法は、発見基準信号（ＤＲＳ）構成に従って無線周波数（ＲＦ）スペクトル帯域の複数のキャリアをモニタすることと、ここにおいて、複数のキャリアを通じた送信が、リッスンビフォアトーク（ＬＢＴ）プロシージャの対象となる、ＤＲＳ構成に従って複数のキャリアのうちの１つまたは複数を通じて送信される第１の基準信号の測定値に少なくとも部分的に基づいてネットワーク報告測定値を決定することと、ここにおいて、第１の基準信号が、複数のキャリアのために事前構成されたそれぞれの第１の送信電力レベルに関連付けられる、を含み得る。本方法はまた、複数のキャリアのうちのキャリアの第１のセットを通じて送信を受信することと、送信が、第２の基準信号を含む、キャリアの第１のセットのための第２の基準信号のそれぞれの第２の送信電力レベルを識別することと、ここにおいて、それぞれの第２の送信電力レベルが、送信の送信キャリアの数に依存する、を含み得る。
【００１３】
[0013]ワイヤレス通信のための装置について説明する。本装置は、発見基準信号（ＤＲＳ）構成に従って無線周波数（ＲＦ）スペクトル帯域の複数のキャリアをモニタするための手段と、ここにおいて、複数のキャリアを通じた送信が、リッスンビフォアトーク（ＬＢＴ）プロシージャの対象となる、ＤＲＳ構成に従って複数のキャリアのうちの１つまたは複数を通じて送信される第１の基準信号の測定値に少なくとも部分的に基づいてネットワーク報告測定値を決定するための手段と、ここにおいて、第１の基準信号が、複数のキャリアのために事前構成されたそれぞれの第１の送信電力レベルに関連付けられる、を含み得る。本装置はまた、複数のキャリアのうちのキャリアの第１のセットを通じて送信を受信するための手段と、送信が、第２の基準信号を含む、キャリアの第１のセットのための第２の基準信号のそれぞれの第２の送信電力レベルを識別するための手段と、ここにおいて、それぞれの第２の送信電力レベルが、送信の送信キャリアの数に依存する、を含み得る。
【００１４】
[0014]ワイヤレス通信のためのさらなる装置について説明する。本装置は、プロセッサと、プロセッサと電子通信しているメモリと、メモリに記憶された命令とを含み得る。命令は、プロセッサによって実行されたとき、装置に、発見基準信号（ＤＲＳ）構成に従って無線周波数（ＲＦ）スペクトル帯域の複数のキャリアをモニタすることと、ここにおいて、複数のキャリアを通じた送信が、リッスンビフォアトーク（ＬＢＴ）プロシージャの対象となる、ＤＲＳ構成に従って複数のキャリアのうちの１つまたは複数を通じて送信される第１の基準信号の測定値に少なくとも部分的に基づいてネットワーク報告測定値を決定することと、ここにおいて、第１の基準信号が、複数のキャリアのために事前構成されたそれぞれの第１の送信電力レベルに関連付けられる、を行わせるように動作可能であり得る。命令はまた、プロセッサによって実行されたとき、装置に、複数のキャリアのうちのキャリアの第１のセットを通じて送信を受信することと、送信が、第２の基準信号を含む、キャリアの第１のセットのための第２の基準信号のそれぞれの第２の送信電力レベルを識別することと、ここにおいて、それぞれの第２の送信電力レベルが、送信の送信キャリアの数に依存する、を行わせるように動作可能であり得る。
【００１５】
[0015]ワイヤレス通信のためのコードを記憶する非一時的コンピュータ可読媒体について説明する。コードは、発見基準信号（ＤＲＳ）構成に従って無線周波数（ＲＦ）スペクトル帯域の複数のキャリアをモニタすることと、ここにおいて、複数のキャリアを通じた送信が、リッスンビフォアトーク（ＬＢＴ）プロシージャの対象となる、ＤＲＳ構成に従って複数のキャリアのうちの１つまたは複数を通じて送信される第１の基準信号の測定値に少なくとも部分的に基づいてネットワーク報告測定値を決定することと、ここにおいて、第１の基準信号が、複数のキャリアのために事前構成されたそれぞれの第１の送信電力レベルに関連付けられる、を行うように実行可能な命令を含み得る。コードはまた、複数のキャリアのうちのキャリアの第１のセットを通じて送信を受信することと、送信が、第２の基準信号を含む、キャリアの第１のセットのための第２の基準信号のそれぞれの第２の送信電力レベルを識別することと、ここにおいて、それぞれの第２の送信電力レベルが、送信の送信キャリアの数に依存する、を行うように実行可能な命令を含み得る。
【００１６】
[0016]本明細書で説明する方法、装置、または非一時的コンピュータ可読媒体のいくつかの例は、送信に関連する少なくとも１つのトラフィック対パイロット比（ＴＰＲ）インジケータを受信することと、それぞれの第２の送信電力レベルと、第２の基準信号の測定電力レベルと、少なくとも１つのＴＰＲインジケータとに少なくとも部分的に基づいて送信を復調することとをさらに含み得る。追加または代替として、それぞれの第２の送信電力レベルを識別することが、第２の基準信号の測定電力レベルに少なくとも部分的に基づいてそれぞれの第２の送信電力レベルを検出することを含み得る。追加または代替として、それぞれの第２の送信電力レベルを識別することが、それぞれの第２の送信電力レベルの少なくとも１つのインジケータを受信することを含み得る。
【００１７】
[0017]本明細書で説明する方法、装置、または非一時的コンピュータ可読媒体のいくつかの例としては、キャリアの第１のセット中のキャリアの数に少なくとも部分的に基づいてキャリアの第１のセットのうちの少なくとも１つのキャリアのためのチャネルフィードバック測定値を決定することを行うためのプロセス、特徴、手段、または命令がさらにあり得る。チャネルフィードバック測定値を決定することは、識別されたそれぞれの第２の送信電力レベルに少なくとも部分的に基づいて少なくとも１つのキャリアのための複数の送信にわたってチャネル測定値を組み合わせることを含み得る。追加または代替として、本明細書で説明する方法、装置、または非一時的コンピュータ可読媒体のいくつかの例としては、基地局に、電力スペクトル密度測定値を示すチャネル状態情報（ＣＳＩ）フィードバックメッセージを送信することを行うためのプロセス、特徴、手段、または命令がさらにあり得る。追加または代替として、それぞれの送信電力レベルは、それぞれの第１の送信電力レベルに対する事前構成された値のセットのうちの値を含み得る。
【００１８】
[0018]ワイヤレス通信のさらなる方法について説明する。本方法は、発見基準信号（ＤＲＳ）構成に従って複数のキャリアを通じて第１の基準信号を送信することと、ここにおいて、複数のキャリアを通じた送信が、リッスンビフォアトーク（ＬＢＴ）プロシージャの対象となる、および、ここにおいて、ＤＲＳ構成が、複数のキャリアのために事前構成され、第１の基準信号に関連付けられるそれぞれの第１の送信電力レベルを備える、複数のキャリアのうちのキャリアの第１のセットを通じてデータ信号送信を送信することと、ここにおいて、データ信号送信が、第２の基準信号を備える、および、ここにおいて、それぞれの第２の送信電力レベルが、データ信号送信中のキャリアの数に依存する、を含み得る。
【００１９】
[0019]ワイヤレス通信のための装置について説明する。本装置は、発見基準信号（ＤＲＳ）構成に従って複数のキャリアを通じて第１の基準信号を送信するための手段と、ここにおいて、複数のキャリアを通じた送信が、リッスンビフォアトーク（ＬＢＴ）プロシージャの対象となる、および、ここにおいて、ＤＲＳ構成が、複数のキャリアのために事前構成され、第１の基準信号に関連付けられるそれぞれの第１の送信電力レベルを備える、複数のキャリアのうちのキャリアの第１のセットを通じてデータ信号送信を送信するための手段と、ここにおいて、データ信号送信が、第２の基準信号を備える、および、ここにおいて、それぞれの第２の送信電力レベルが、データ信号送信中のキャリアの数に依存する、を含み得る。
【００２０】
[0020]ワイヤレス通信のためのさらなる装置について説明する。本装置は、プロセッサと、プロセッサと電子通信しているメモリと、メモリに記憶された命令とを含み得る。命令は、プロセッサによって実行されたとき、装置に、発見基準信号（ＤＲＳ）構成に従って複数のキャリアを通じて第１の基準信号を送信することと、ここにおいて、複数のキャリアを通じた送信が、リッスンビフォアトーク（ＬＢＴ）プロシージャの対象となる、および、ここにおいて、ＤＲＳ構成が、複数のキャリアのために事前構成され、第１の基準信号に関連付けられるそれぞれの第１の送信電力レベルを備える、複数のキャリアのうちのキャリアの第１のセットを通じてデータ信号送信を送信することと、ここにおいて、データ信号送信が、第２の基準信号を備える、および、ここにおいて、それぞれの第２の送信電力レベルが、データ信号送信中のキャリアの数に依存する、を行わせるように動作可能であり得る。
【００２１】
[0021]ワイヤレス通信のためのコードを記憶する非一時的コンピュータ可読媒体について説明する。コードは、発見基準信号（ＤＲＳ）構成に従って複数のキャリアを通じて第１の基準信号を送信することと、ここにおいて、複数のキャリアを通じた送信が、リッスンビフォアトーク（ＬＢＴ）プロシージャの対象となる、および、ここにおいて、ＤＲＳ構成が、複数のキャリアのために事前構成され、第１の基準信号に関連付けられるそれぞれの第１の送信電力レベルを備える、複数のキャリアのうちのキャリアの第１のセットを通じてデータ信号送信を送信することと、ここにおいて、データ信号送信が、第２の基準信号を備える、および、ここにおいて、それぞれの第２の送信電力レベルが、データ信号送信中のキャリアの数に依存する、を行うように実行可能な命令を含み得る。
【００２２】
[0022]本明細書で説明する方法、装置、または非一時的コンピュータ可読媒体のいくつかの例としては、データ信号送信のための少なくとも１つの基準トラフィック対パイロット比（ＴＰＲ）インジケータを構成することと、キャリアの第１のセットによってサービスされるＵＥに少なくとも１つの基準ＴＰＲインジケータを送信することとを行うためのプロセス、特徴、手段、または命令がさらにあり得る。追加または代替として、本明細書で説明する方法、装置、または非一時的コンピュータ可読媒体のいくつかの例としては、キャリアの第１のセットによってサービスされるＵＥにそれぞれの第２の送信電力レベルのインジケーションを送信することを行うためのプロセス、特徴、手段、または命令がさらにあり得る。追加または代替として、それぞれの第２の送信電力レベルは、それぞれの第１の送信電力レベルに対する事前構成された値のセットに少なくとも部分的に基づき得る。追加または代替として、本明細書で説明する方法、装置、または非一時的コンピュータ可読媒体のいくつかの例としては、ユーザ機器（ＵＥ）からチャネルフィードバック報告を受信することと、受信されたチャネルフィードバック報告とデータ信号送信中のキャリアの数とに少なくとも部分的に基づいてデータ信号送信のための変調およびコーディングスキーム（ＭＣＳ）を決定することとを行うためのプロセス、特徴、手段、または命令がさらにあり得る。
【００２３】
[0023]本開示の態様について、以下の図を参照しながら説明する。
【図面の簡単な説明】
【００２４】
【図１】本開示の様々な態様による、ワイヤレス通信システムの例を示す図。
【図２】本開示の様々な態様による、ＬＴＥ（登録商標）／ＬＴＥ−Ａが、専用無線周波数スペクトル帯域または共有無線周波数スペクトル帯域を使用して異なるシナリオの下で展開され得るワイヤレス通信システムを示す図。
【図３Ａ】本開示の様々な態様による、共有無線周波数スペクトル帯域を通じたワイヤレス通信の一例を示す図。
【図３Ｂ】本開示の様々な態様による、共有無線周波数スペクトル帯域を通じたワイヤレス通信の一例を示す図。
【図３Ｃ】本開示の様々な態様による、共有無線周波数スペクトル帯域を通じたワイヤレス通信の一例を示す図。
【図４】本開示の様々な態様による、時間にわたる、送信機による無線周波数スペクトル帯域の例示的な使用を示す図。
【図５】本開示の様々な態様による、共有無線周波数スペクトル帯域の複数のキャリア上で送信することをサポートするワイヤレスデバイスのブロック図。
【図６】本開示の様々な態様による、共有無線周波数スペクトル帯域の複数のキャリア上で送信することをサポートするワイヤレスデバイスのブロック図。
【図７】本開示の様々な態様による、共有無線周波数スペクトル帯域の複数のキャリア上で送信することをサポートするワイヤレスデバイスのブロック図。
【図８】本開示の様々な態様による、共有無線周波数スペクトル帯域の複数のキャリア上で送信することをサポートするユーザ機器（ＵＥ）を含むシステムのブロック図。
【図９】本開示の様々な態様による、共有無線周波数スペクトル帯域の複数のキャリア上で送信される信号を処理するための方法を示すフローチャート。
【図１０】本開示の様々な態様による、共有無線周波数スペクトル帯域の複数のキャリアを通じて送信するための基地局の構成要素であり得る基準信号構成マネージャのブロック図。
【図１１】本開示の態様による、共有無線周波数スペクトル帯域の複数のキャリア上で送信するように構成された基地局を含むシステムの図。
【図１２】本開示の様々な態様による、共有無線周波数スペクトル帯域の複数のキャリア上で送信するための方法を示すフローチャート。
【発明を実施するための形態】
【００２５】
[0034]共有無線周波数スペクトル帯域がワイヤレス通信システムを通じた通信の少なくとも一部分のために使用される技法について説明する。いくつかの例では、共有無線周波数スペクトル帯域は、ロングタームエボリューション（ＬＴＥ）またはＬＴＥアドバンスト（ＬＴＥ−Ａ）プロトコルに基づく通信のために使用され得る。共有無線周波数スペクトル帯域は、専用無線周波数スペクトル帯域と組み合わせて、またはそれとは無関係に使用され得る。専用無線周波数スペクトル帯域は、ＬＴＥ／ＬＴＥ−Ａ通信のために使用される認可無線周波数スペクトル帯域など、ネットワーク事業者（たとえば、移動体通信事業者（ＭＮＯ）など）にライセンスを与えられる無線周波数スペクトル帯域であり得る。専用無線周波数スペクトル帯域を通じた通信は、ネットワーク事業者の基地局によってスケジュールされ、したがって、競合ベースでないことがある。共有無線周波数スペクトル帯域は、デバイスがアクセスを求めて競合する必要があり得る無線周波数スペクトル帯域（たとえば、Ｗｉ−Ｆｉ（登録商標）使用などの無認可使用のために利用可能である無線周波数スペクトル帯域または等しく共有されるかもしくは優先順位を付けられたスキームで複数の事業者が使用するために利用可能である無線周波数スペクトル帯域）であり得る。
【００２６】
[0035]専用無線周波数スペクトル帯域を使用するセルラーネットワークにおけるデータトラフィックの増加とともに、共有無線周波数スペクトル帯域への少なくとも一部のデータトラフィックのオフロードは、セルラー事業者（たとえば、パブリックランドモバイルネットワーク（ＰＬＭＮ：public land mobile network）またはＬＴＥ／ＬＴＥ−Ａネットワークのようなセルラーネットワークを定義する基地局の協調させられたセットの事業者）にデータ送信容量の増強のための機会を与え得る。共有無線周波数スペクトル帯域の使用はまた、専用無線周波数スペクトル帯域へのアクセスが不可能であるエリアにおいてサービスを提供し得る。共有無線周波数スペクトル帯域へのアクセスを獲得し、それを通じて通信する前に、送信装置は、媒体へのアクセスを獲得するために、リッスンビフォアトーク（ＬＢＴ）プロシージャを実行し得る。そのようなＬＢＴプロシージャは、共有無線周波数スペクトル帯域のキャリアが利用可能であるのかどうかを決定するために、クリアチャネルアセスメント（ＣＣＡプロシージャ）（または拡張ＣＣＡプロシージャ）を実行することを含み得る。共有無線周波数スペクトル帯域のキャリアが利用可能であると決定されたとき、チャネル使用ビーコン信号（ＣＵＢＳ：channel usage beacon signal）が、キャリアを予約するためにブロードキャストされ得る。基地局の場合、キャリアが予約されているダウンリンクサブフレームとアップリンクサブフレームとのインジケーションもブロードキャストされ得る。キャリアが利用可能でないと決定されたとき、キャリアに対してＣＣＡプロシージャ（または拡張ＣＣＡプロシージャ）が後で再び実行され得る。場合によっては、基地局またはＵＥは、共有無線周波数スペクトル帯域の複数のキャリアへのアクセスを獲得しようと試み得る。
【００２７】
[0036]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わされ得る。また、いくつかの例に関して説明する特徴は、他の例において組み合わされ得る。
【００２８】
[0037]図１は、本開示の様々な態様による、ワイヤレス通信システム１００の例を示す。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を通じて互いに直接または間接的に（たとえば、コアネットワーク１３０を通して）通信し得る。
【００２９】
[0038]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３０】
[0039]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連付けられるキャリアもしくはコンポーネントキャリア、またはキャリアもしくは基地局のカバレージエリア（たとえば、セクタなど）を表すために使用され得る。
【００３１】
[0040]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、専用、共有などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３２】
[0041]ワイヤレス通信システム１００は同期動作または非同期動作をサポートし得る。同期動作の場合、基地局は、同様のフレームタイミングを有し得、異なる基地局からの送信は、時間的にほぼアラインされ得る。非同期動作の場合、基地局は異なるフレームタイミングを有し得、異なる基地局からの送信は時間的にアラインされないことがある。本明細書で説明する技法は、同期動作または非同期動作のいずれかのために使用され得る。
【００３３】
[0042]開示する様々な例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを通じて通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコル層は、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは物理キャリアにマッピングされ得る。
【００３４】
[0043]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、中継基地局などを含む、様々なタイプの基地局およびネットワーク機器と通信することが可能であり得る。
【００３５】
[0044]ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００３６】
[0045]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３７】
[0046]ワイヤレス通信システム１００のいくつかの例では、基地局１０５またはＵＥ１１５は、基地局１０５とＵＥ１１５との間の通信品質と信頼性とを改善するために、アンテナダイバーシティスキームを採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0047]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３９】
[0048]基地局１０５は、ＵＥ１１５のキャリア推定およびコヒーレント復調を助けるために、セル固有基準信号（ＣＲＳ）などの周期パイロットシンボルを挿入し得る。ＣＲＳは、セル識別情報に依存し得、５０４個の異なるセル識別情報があり得る。それらは、それらを雑音および干渉に対して耐性があるようにするために、４位相シフトキーイング（ＱＰＳＫ）とブーストされた（たとえば、周囲のデータ要素よりも６ｄＢ高く送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。基地局１０５のカバレージエリア１１０中のすべてのＵＥ１１５によって利用され得るＣＲＳに加えて、（ＵＥ固有基準信号（ＵＥ−ＲＳ）と呼ばれることもある）復調基準信号（ＤＭ−ＲＳ）は、特定のＵＥ１１５を対象とし得、それらのＵＥ１１５に割り当てられたリソースブロック上でのみ送信され得る。ＤＭ−ＲＳは、それらが送信される各リソースブロック中の６つのリソース要素上に信号を含み得る。異なるアンテナポートのためのＤＭ−ＲＳは、それぞれ、同じ６つのリソース要素を利用することができ、（たとえば、異なるリソース要素中で１または−１の異なる組合せで各信号をマスキングする）異なる直交カバーコードを使用して区別され得る。場合によっては、ＤＭ−ＲＳの２つのセットは、隣接するリソース要素中で送信され得る。いくつかの場合には、チャネル状態情報（ＣＳＩ）基準信号（ＣＳＩ−ＲＳ）として知られる追加の基準信号が、チャネルフィードバック報告を助けるために含まれ得る。ＵＬ上で、ＵＥ１１５は、それぞれ、リンク適応および復調のための周期サウンディング基準信号（ＳＲＳ）とアップリンク（ＵＬ）ＤＭ−ＲＳの組合せを送信し得る。
【００４０】
[0049]基地局１０５は、キャリアを効率的に構成およびスケジュールするためにＵＥ１１５からキャリアについてのＣＳＩ情報を収集し得る。この情報は、ＣＳＩ報告の形態でＵＥ１１５から送られ得る。ＣＳＩ報告は、（たとえば、ＵＥ１１５のアンテナポートに基づいて）ダウンリンク（ＤＬ）送信のために使用されるべきレイヤの数を要求するランクインジケータ（ＲＩ：rank indicator）と、（レイヤの数に基づいて）どのプリコーダ行列を使用すべきであるかの選好を示すプリコーディング行列インジケータ（ＰＭＩ：precoding matrix indicator）と、使用され得る最高の変調およびコーディングスキーム（ＭＣＳ）を表すチャネル品質インジケータ（ＣＱＩ）とを含有し得る。ＣＱＩは、ＣＲＳまたはＣＳＩ−ＲＳなどの所定のパイロットシンボルを受信した後にＵＥ１１５によって計算され得る。ＲＩおよびＰＭＩは、ＵＥ１１５が空間多重化をサポートしない（または空間多重化をサポートする送信モードで構成されていない）場合に除外され得る。報告中に含まれる情報のタイプは報告タイプを決定する。ＣＳＩ報告は、周期的または非周期的であり得る。すなわち、基地局１０５は、一定の間隔で周期的報告を送るようにＵＥ１１５を構成し得、必要に応じて追加の報告をも要求し得る。非周期的報告は、セル帯域幅全体にわたるチャネル品質を示す広帯域報告、最良のサブバンドのサブセットを示すＵＥ選択報告、または報告されるサブバンドが基地局１０５によって選択される構成報告を含み得る。
【００４１】
[0050]いくつかの例では、ワイヤレス通信システム１００は、１つまたは複数の専用無線周波数スペクトル帯域と１つまたは複数の共有無線周波数スペクトル帯域とを通じた動作をサポートし得る。いくつかの例では、ワイヤレス通信システム１００の送信機（たとえば、基地局１０５またはＵＥ１１５）は、共有無線周波数スペクトル帯域の複数のキャリアを通じて送信することを決定し得る。送信機が共有無線周波数スペクトル帯域の異なるキャリアへのアクセスを求めて別個に競合する必要があり得るので、送信機が送信することができるキャリアのセットは、送信機会ごとに変動し得る。送信機が、最大許容送信電力およびＰＳＤでまたはその近くで動作するように構成されると、送信機が送信し得るキャリアの変動する数は、目的とする受信機の測定および復調動作に対して課題を課することがある。したがって、本開示によれば、ＵＥ１１５は、発見基準信号（ＤＲＳ）構成に従って無線周波数スペクトル帯域の複数のキャリア中で送信される第１の基準信号のための無線周波数スペクトル帯域のキャリアのセットのうちのキャリアをモニタし得、ここで、複数のキャリアを通じた送信は、ＬＢＴプロシージャの対象となる。送信は、異なる時間にＲＦスペクトル帯域のキャリアの異なるセット中でＵＥにおいて受信され得、第１の基準信号は、それぞれの第１の送信電力レベルに関連付けられ得る。ＵＥは、第１の基準信号のインスタンスのセットを受信し得、インスタンスのセットを測定し得る。ＵＥは、次いで、第１の基準信号のインスタンスのセットの測定値に基づいてネットワーク報告測定値を決定し得る。
【００４２】
[0051]図２に、本開示の様々な態様による、ＬＴＥ／ＬＴＥ−Ａが、共有周波数スペクトル帯域を使用して異なるシナリオの下で展開され得るワイヤレス通信システム２００を示す。より詳細には、図２は、ＬＴＥ／ＬＴＥ−Ａベースのシグナリングが共有周波数スペクトル帯域を使用して展開される、（認可支援アクセス（ＬＡＡ）モードとも呼ばれる）補足ダウンリンクモードと、スタンドアロン（ＳＡ）モードとを含むキャリアアグリゲーション（ＣＡ）の例を示している。ワイヤレス通信システム２００は、図１を参照しながら説明したワイヤレス通信システム１００の部分の例であり得る。さらに、第１の基地局１０５−ａおよび第２の基地局１０５−ｂは、図１を参照しながら説明した基地局１０５のうちの１つまたは複数の態様の例であり得、第１のＵＥ１１５−ａ、第２のＵＥ１１５−ｂ、第３のＵＥ１１５−ｃ、および第４のＵＥ１１５−ｄは、図１を参照しながら説明したＵＥ１１５のうちの１つまたは複数の態様の例であり得る。
【００４３】
[0052]ワイヤレス通信システム２００における補助ダウンリンクモード（たとえば、認可支援アクセスモード）の例では、第１の基地局１０５−ａは、キャリア２２５を通じて第１のＵＥ１１５−ａと通信し得、これは、専用周波数スペクトル帯域中の周波数Ｆ４（または複数の周波数）に関連付けられ得る。キャリア２２５は、ＵＥ１１５−ａのための１次コンポーネントキャリア（ＰＣＣ）であり得、キャリア２２５を通じたダウンリンク送信とアップリンク送信とのためのデータおよび制御情報ならびに他のキャリアに関連する何らかの制御情報を搬送し得る。第１のＵＥ１１５−ａは、（たとえば、ＵＥ１１５−ａのための２次コンポーネントキャリア（ＳＣＣ）として構成された）キャリア２２５を通じた通信と同時にキャリア２２０を通じて通信するためにＣＡモードで構成され得る。キャリア２２０は、共有周波数スペクトル帯域において周波数Ｆ１に関連付けられ得る。キャリア２２０は、第１の基地局１０５−ａに容量オフロードを提供し得る。いくつかの例では、キャリア２２０は、（たとえば、１つのＵＥにアドレス指定される）ユニキャストサービスサービスまたは（たとえば、いくつかのＵＥにアドレス指定される）マルチキャストサービスに使用され得る。このシナリオは、共有周波数スペクトル帯域にオフロードする能力をもつ専用周波数スペクトルにおいて容量を展開しているあらゆるサービスプロバイダ（たとえば、ＭＮＯ）に発生し得る。
【００４４】
[0053]ＵＥ１１５−ｂおよび１１５−ｃは、キャリア２２０、２３５、および２４０のうちの１つまたは複数を使用してＳＡモードで動作するように基地局１０５−ａによって構成され得、これらは、共有周波数スペクトル帯域中で周波数Ｆ１、Ｆ２、およびＦ３に関連付けられ得る。ＵＥ１１５−ｄは、キャリア２４５を使用してＳＡモードで動作するように基地局１０５−ｂによって構成され得、これは、周波数Ｆ３に関連付けられ得る。上記で説明した補助ダウンリンクモードのように、ＳＡモードは、共有周波数スペクトル帯域にオフロードする能力をもつ専用周波数スペクトルにおいて容量を展開しているあらゆるサービスプロバイダ（たとえば、ＭＮＯ）によって使用され得る。ＳＡモードはまた、スタジアム内アクセス（たとえば、ユニキャスト、マルチキャスト）など、非従来型のワイヤレスアクセスシナリオにおいて使用され得る。この動作モードのためのサービスプロバイダのタイプの一例は、専用周波数スペクトル帯域へのアクセスを有しない、スタジアム所有者、ケーブル会社、イベント主催者、ホテル、企業、または大企業であり得る。
【００４５】
[0054]基地局１０５−ａおよび１０５−ｂは、ＬＴＥ／ＬＴＥ−Ａベースの波形を使用してキャリア２２０、２３５、２４０、および／または２４５を通じてＵＥ１１５−ａ、１１５−ｂ、１１５−ｃ、および１１５−ｄと通信し得る。ＬＴＥ／ＬＴＥ−Ａベースの波形は、図３Ａ〜図３Ｃにおいて説明するように、拡張コンポーネントキャリア（ｅＣＣ）チャネル構造を使用して送信され得る。これらの例は説明の目的で提示され、容量オフロードのために、専用周波数スペクトル帯域におけるＬＴＥ／ＬＴＥ−Ａを組み合わせ、共有周波数スペクトル帯域を使用する他の同様の動作モードまたは展開シナリオがあり得る。
【００４６】
[0055]いくつかの例では、図１または図２を参照しながら説明した基地局１０５のうちの１つあるいは図１または図２を参照しながら説明したＵＥ１１５のうちの１つなどの送信機は、共有周波数スペクトル帯域のキャリアへの（たとえば、共有周波数スペクトル帯域の物理キャリアへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）によって指定されたＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がＣＣＡプロシージャなどの競合プロシージャ（たとえば、ＬＢＴプロシージャ）をいつ実行する必要があるかを示し得る。ＣＣＡプロシージャの結果は、共有周波数スペクトル帯域のキャリアが（ＬＢＴ無線フレームとも呼ばれる）ゲーティング間隔のために利用可能であるのか使用中であるのかを送信装置に示し得る。キャリアが、対応するＬＢＴ無線フレームに利用可能（たとえば、使用のためクリア）であることをＣＣＡプロシージャが示すとき、送信装置は、ＬＢＴ無線フレームの一部または全部の間に共有周波数スペクトル帯域のキャリアを予約または使用し得る。キャリアが利用可能ではないこと（たとえば、キャリアが別の送信装置によって使用中であるか、または予約されていること）をＣＣＡプロシージャが示すとき、送信装置は、ＬＢＴ無線フレームの間にキャリアを使用することを妨げられ得る。
【００４７】
[0056]図３Ａに、本開示の様々な態様による、アップリンクにおける通信のタイムライン３００を示す。タイムライン３００に、ダウンリンク送信（Ｔｘ）期間３１０と、それに続くアップリンク送信（Ｔｘ）期間３１５とを含む送信機会３０５を示す。いくつかの例では、ダウンリンク送信期間３１０は、複数のダウンリンクＴＴＩ（たとえば、ダウンリンク（Ｄ）サブフレーム）に再分割され得、アップリンク送信期間３１５は、複数のアップリンクＴＴＩ（たとえば、アップリンク（Ｕ）サブフレーム）に再分割され得る。
【００４８】
[0057]いくつかの例では、ダウンリンク送信期間３１０中のダウンリンクＴＴＩのうちの１つまたは複数は、（たとえば、同一キャリアスケジューリングまたはアップリンク送信の自己スケジューリングについて）アップリンク送信期間３１５中の１つまたは複数のアップリンクＴＴＩのためのアップリンク許可を搬送し得る。他の例では、アップリンク送信期間３１５中の１つまたは複数のアップリンクＴＴＩのための１つまたは複数のアップリンク許可は、（たとえば、クロスキャリアスケジューリングについて）図３Ａに示すＣＣとは異なるＣＣ上で送信され得る。
【００４９】
[0058]複数のＴＴＩがアップリンク送信期間３１５の間にスケジュールされるとき、複数のＴＴＩのためのＤＣＩ（たとえば、ＤＣＩフォーマット０）は、リソースブロック（ＲＢ）割振り、変調およびコーディングスキーム（ＭＣＳ）ならびに冗長値（ＲＶ）、新規データインジケータ（ＮＤＩ）、送信電力制御（ＴＰＣ）コマンド、セル固有復調基準信号（ＣＳ−ＤＭＲＳ）、アップリンク（ＵＬ）インデックス、ダウンリンク割当てインデックス（ＤＡＩ）、チャネル状態情報（ＣＳＩ）要求、サウンディング基準信号（ＳＲＳ）要求、リソース割振りタイプ、またはそれらの組合せなどのパラメータを含み得る。ＬＴＥ／ＬＴＥ−Ａネットワークでは、ＴＤＤフォーマット０により、２つの別個のアップリンク許可が専用無線周波数スペクトル帯域中のダウンリンクＴＴＩ中で単一のＵＥに搬送されることが可能になる。各アップリンク許可の適用は、アップリンク許可に関連するＵＬインデックスによって決定され得、電力制御、非周期ＣＳＩ報告、およびＰＵＳＣＨ送信に影響を及ぼし得る。共有無線周波数スペクトル帯域中のアップリンク送信に適用可能なアップリンク許可について同様の機能が与えられ得る。
【００５０】
[0059]クロス送信機会スケジューリングまたはクロスキャリアスケジューリングがないと仮定すると、（ダウンリンク送信期間３１０の単一のダウンリンクＴＴＩ内で搬送され得る）アップリンク送信期間３１５中の共有無線周波数スペクトル帯域中での複数のＴＴＩアップリンク送信のための複数のアップリンク許可はそれぞれ、ＵＬインデックスフィールド、ＨＡＲＱインデックスフィールド、基準信号およびＰＵＳＣＨ多重化インジケータフィールド（たとえば、ＳＲＳ／ＰＵＳＣＨ多重化インジケータフィールド）、リソース再利用インジケータフィールド（たとえば、ＰＵＣＣＨ／ＰＲＡＣＨリソース再使用インジケータフィールド）、ＬＢＴパラメータ、またはそれらの組合せなどのＤＣＩフィールドを含み得る。ＵＬインデックスは、（現在の送信バーストとも呼ばれる）送信機会３０５中のどのアップリンクＴＴＩ（たとえば、アップリンクサブフレーム）がＰＵＳＣＨ送信を搬送するのかをＵＥに示し得る。ＵＬインデックスは、ＵＬインデックスを含むアップリンク許可を搬送するダウンリンクＴＴＩの終了を基準とし得る。ＬＢＴパラメータは、短縮されたＬＢＴプロシージャ（たとえば、２５μｓのＬＢＴプロシージャ）を実行するためにアップリンクＴＴＩの第１のシンボルをパンクチャすべきかどうか、または完全長のＬＢＴプロシージャ（たとえば、カテゴリー（ＣＡＴ）４のＬＢＴプロシージャ）を実行すべきかどうかをＵＥに示し得る。ＣＡＴ４のＬＢＴプロシージャを実行することを示すときに、ＬＢＴパラメータは、ＬＢＴ優先度クラスまたは競合ウィンドウサイズのうちの１つまたは複数を示し得る。いくつかの例では、（たとえば、ＣＡＴ４のＬＢＴプロシージャを実行するＵＥによる）マルチＴＴＩアップリンク送信のＴＴＩ中の共有無線周波数スペクトル帯域にアクセスする競合の負けは、ＵＥに、マルチＴＴＩアップリンク送信の次のＴＴＩにＣＡＴ４のＬＢＴプロシージャパラメータをキャリーオーバーさせ得る。
【００５１】
[0060]図３Ｂに、本開示の様々な態様による、アップリンクにおける通信のタイムライン３２０を示す。タイムライン３２０に、第１の送信機会３２５と、それに続く第２の送信機会３４０とを示す。第１の送信機会３２５は、第１のダウンリンクＴｘ期間３３０と、それに続く第１のアップリンクＴｘ期間３３５とを含み得る。第２の送信機会３４０は、第２のダウンリンク送信（Ｔｘ）期間３４５と、それに続く第２のアップリンクＴｘ期間３５０とを含み得る。いくつかの例では、ダウンリンク送信期間（たとえば、第１のダウンリンク送信期間３３０または第２のダウンリンク送信期間３４５）の一方または両方は、複数のダウンリンクＴＴＩ（たとえば、Ｄ個のサブフレーム）に再分割され得、アップリンク送信期間（たとえば、第１のアップリンク送信期間３３５または第２のアップリンク送信期間３５０）の一方または両方は、複数のアップリンクＴＴＩ（たとえば、Ｕ個のサブフレーム）に再分割され得る。
【００５２】
[0061]いくつかの例では、第１のダウンリンクＴｘ期間３３０中のダウンリンクＴＴＩのうちの１つまたは複数は、第２のアップリンクＴｘ期間３３５（たとえば、アップリンク送信のクロス送信機会スケジューリング）中の１つまたは複数のアップリンクＴＴＩのためのアップリンク許可を搬送し得る。
【００５３】
[0062]第２のアップリンク送信期間３５０中でアップリンク送信をスケジュールするためにクロス送信機会スケジューリングが使用されると仮定し、第２のダウンリンク送信期間３４５が第２のアップリンク送信期間３５０に先行すると仮定すると、（第１のダウンリンクＴｘ期間３３０のダウンリンクＴＴＩ内で搬送され得る）第２のアップリンク送信期間３５０中の共有無線周波数スペクトル帯域中での複数のＴＴＩアップリンク送信のための複数のアップリンク許可はそれぞれ、ＵＬインデックスフィールド、ＨＡＲＱインデックスフィールド、基準信号およびＰＵＳＣＨ多重化インジケータフィールド（たとえば、ＳＲＳ／ＰＵＳＣＨ多重化インジケータフィールド）、リソース再利用インジケータフィールド（たとえば、ＰＵＣＣＨ／ＰＲＡＣＨリソース再使用インジケータフィールド）、ＬＢＴパラメータ、またはそれらの組合せなどのＤＣＩフィールドを含み得る。さらに、各アップリンク許可は、現在の送信バーストインデックスフィールド、ターゲット送信バーストインデックスフィールド、またはＰＵＳＣＨ送信スキップストラテジーフィールドなどのＤＣＩフィールドを含み得る。現在の送信バーストインデックスは、アップリンク許可が受信される第１の送信バースト（たとえば、第１の送信機会３２５）をＵＥに示し得、ターゲット送信バーストインデックスは、アップリンク許可が適用される第２の送信バースト（たとえば、第２の送信機会３４０）をＵＥに示し得る。いくつかの例では、基地局は、共通のＰＤＣＣＨ上のＤＣＩ中で複数のＵＥに現在の送信バーストインデックスをブロードキャストし得る。ＵＬインデックスは、ＰＵＳＣＨ送信が開始する第２の送信バースト（たとえば、第２の送信機会３４０）のアップリンクＴＴＩを識別し得る。ＰＵＳＣＨ送信スキップストラテジーは、多重ＴＴＩ送信の少なくとも第１のＴＴＩのためのＬＢＴプロシージャが成功しなかったとき、少なくとも時間的に第１のＰＵＳＣＨ送信または少なくとも時間的に最後のＰＵＳＣＨ送信をスキップすべきかどうかをＵＥに示し得る。
【００５４】
[0063]いくつかの例では、共有無線周波数スペクトル帯域中で多重ＴＴＩアップリンク送信の少なくとも１つのＴＴＩのための少なくとも１つのアップリンク許可を受信するＵＥは、多重ＴＴＩアップリンク送信のＴＴＩのための共有無線周波数スペクトル帯域へのアクセスを求めて競合するためにＬＢＴプロシージャを実行し得る。ＴＴＩのための共有無線周波数スペクトル帯域へのアクセスを求める競合に負けると、ＵＥは、アップリンク送信キャリーオーバーストラテジーをトリガし得る。アップリンク送信キャリーオーバーストラテジーは、共有無線周波数スペクトル帯域へのアクセスを求める競合に負けたＴＴＩに関連するパラメータを多重ＴＴＩアップリンク送信の次のＴＴＩにキャリーオーバーするか、またはキャリーオーバーしないことをＵＥに示し得る。いくつかの例では、パラメータは、ＣＳＩ送信パラメータ、またはＳＲＳ送信パラメータ、またはＴＰＣコマンド、またはそれらの組合せを含み得る。いくつかの例では、キャリーオーバーされたＴＰＣコマンドがＴＴＩに累積的に適用され得る。
【００５５】
[0064]いくつかの例では、共有無線周波数スペクトル帯域中で多重ＴＴＩアップリンク送信の少なくとも１つのＴＴＩのための少なくとも１つのアップリンク許可を受信するＵＥは、多重ＴＴＩアップリンク送信のＴＴＩのための共有無線周波数スペクトル帯域へのアクセスを求めて競合するためにＬＢＴプロシージャを実行し得る。ＴＴＩのための共有無線周波数スペクトル帯域へのアクセスを求める競合に勝つと、ＵＥは、ＴＴＩのためのアップリンク許可中で示されるＬＢＴ優先度クラスに関連するデータ（たとえば、ベストエフォートデータ、ビデオデータなど）を送信し得る。ＬＢＴ優先度クラスに関連するデータがなくなると、ＵＥは、ＴＴＩの残余についてデータを送信することも送信しないこともある。
【００５６】
[0065]いくつかの例では、共有無線周波数スペクトル帯域中で多重ＴＴＩアップリンク送信の少なくとも１つのＴＴＩのための少なくとも１つのアップリンク許可を受信するＵＥは、ＴＴＩ内のトランスポートブロック（ＴＢ）のすべてを無効化することによって、ＴＴＩ中にＰＵＳＣＨ送信なしにＳＲＳを送信するようトリガされ得る。
【００５７】
[0066]図３Ｃに、本開示の様々な態様による、共有無線周波数スペクトル帯域のアップリンク中での通信と、ＬＢＴプロシージャ３８０の実行と、それに続くチャネル予約信号３８５の送信とのタイムライン３６０を示す。タイムライン３６０に、アップリンク送信期間の１つのＴＴＩ３６５（たとえば、１つのアップリンク（Ｕ）サブフレーム）を示す（たとえば、図３Ａを参照しながら説明したアップリンク送信期間３１５あるいは図３Ｂを参照しながら説明した第１のアップリンク送信期間３３５または第２のアップリンク送信期間３５０の１つのＴＴＩ）。ＴＴＩ３６５は、２つのスロット（たとえば、スロット０  ３７０およびスロット１  ３７５）にわたる複数のシンボル期間（たとえば、０〜１３の番号が付けられた１４個のシンボル期間）を含む。
【００５８】
[0067]ＵＥは、ＴＴＩ３６５のためのＬＢＴプロシージャ３８０を実行し得る。いくつかの例では、ＬＢＴプロシージャ３８０は、ＴＴＩ３６５の時間的に第１のシンボル期間（たとえば、シンボル期間０）中に実行され得る。いくつかの例（図示せず）では、ＬＢＴプロシージャ３８０は、第１のシンボル期間の終了に同期し得、共有無線周波数スペクトル帯域へのアクセスを求める競合に勝つと、ＵＥは、ＴＴＩ３６５の時間的に第２のシンボル期間（たとえば、シンボル期間１）中にアップリンク送信（たとえば、ＰＵＳＣＨ送信、ＰＵＣＣＨ送信、ＰＲＡＣＨ送信、ＳＲＳ送信、またはアップリンク信号の組合せを含む送信）を直ちに開始し得る。他の例（図示）では、ＬＢＴプロシージャ３８０は、第１のシンボル期間の開始に同期し、第１のシンボル期間）の第１の部分中に実行され得、共有無線周波数スペクトル帯域へのアクセスを求める競合に勝つと、ＵＥは、第１のシンボル期間の第２の部分中にチャネル予約信号（ＲＥＳ３８５）を送信し得る。チャネル予約信号は、共有無線周波数スペクトル帯域へのアクセスを求める競合に勝ったときとアップリンク送信を開始するようにスケジュールされているときとの間に共有無線周波数スペクトル帯域を予約するために送信され得る。
【００５９】
[0068]いくつかの例では、ＵＥは、複数の異なるチャネル予約信号のうちの１つを（たとえば、ＲＥＳ３８５として）第１のシンボル期間の第２の部分中に送信するように選択し得る。ＴＴＩ３６５中にＰＵＳＣＨの前にＳＲＳを送信するようにＵＥがスケジュールされるとき、選択されたチャネル予約信号は、ＳＲＳ波形を含み得る。ＴＴＩ３６５中にＳＲＳではなくＰＵＳＣＨを送信するようにＵＥがスケジュールされるとき、およびＳＲＳインターフェースがＴＴＩの第１のシンボル期間中にアクティブであるとき、選択されたチャネル予約信号は、ＳＲＳ波形を含み得る。ＴＴＩ３６５のためのアップリンク許可を送信するネットワークアクセスデバイスが、チャネル予約信号を選択するための選択方法を示さないとき、選択されたチャネル予約信号は、Ｗｉ−Ｆｉチャネル予約信号（たとえば、自己送信許可（ＣＴＳ２Ｓ：clear to send to self））を含み得る。代替的に、ＴＴＩ３６５のためのアップリンク許可を送信するネットワークアクセスデバイスがチャネル予約信号を選択するための選択方法を示さないとき、ＵＥは、任意のフォームアチャネル予約信号を選択し得る。
【００６０】
[0069]図４に、本開示の様々な態様による、無線周波数スペクトル帯域を通じた通信のタイミング図４００を示す。無線周波数スペクトル帯域は、いくつかのサブバンド（たとえば、第１のサブバンド（サブバンド１  ４０５−ａ）および第２のサブバンド（サブバンド２  ４０５−ｂ））を含み得、各サブバンドは、いくつかのキャリアを含む（たとえば、サブバンド１  ４０５−ａは、キャリア１Ａ  ４１０−ａと、キャリア２Ａ  ４１０−ｂと、キャリアｎＡ  ４１０−ａ−ｎとを含むことが示されており、サブバンド２  ４０５−ｂは、キャリア１Ｂ  ４１０−ｂ−１と、キャリアｎＢ  ４１０−ｂ−ｎとを含むことが示されている）。タイミング図４００によって通信が示されている送信機は、たとえば、図１または図２を参照しながら説明した基地局１０５またはＵＥ１１５のうちの１つであり得る。
【００６１】
[0070]送信機は、ＤＲＳウィンドウ４２０（たとえば、キャリア４１０のために構成されたＤＲＳウィンドウなど）中に発見基準信号（ＤＲＳ）を送信し得る。ＤＲＳウィンドウ４２０は、ＤＲＳウィンドウ期間と、ＤＲＳウィンドウ間隔と、ＤＲＳウィンドウオフセットとによって定義され得る。たとえば、ＤＲＳウィンドウ４２０−ａは、キャリア１Ａ  ４１０−ａ−１について所定のタイミング間隔で発生し、ＤＲＳウィンドウ４２０−ｂは、キャリア２Ａ  ４１０−ａ−２について同じ所定のタイミング間隔で発生し、ＤＲＳウィンドウ４２０−ｃは、キャリアｎＡ  ４１０−ａ−ｎについて同じ周期だが異なるオフセットで発生する。キャリア１Ａ、２Ａ、およびｎＡにわたって同じＤＲＳウィンドウ期間を有するものとして示したが、あるキャリアのためのＤＲＳウィンドウ４２０は、異なるキャリアのためのＤＲＳウィンドウ４２０とは異なる周期で発生し得る。ＤＲＳウィンドウのためのＤＲＳウィンドウ期間および間隔は、サブバンド間で同期または非同期であり得る。たとえば、サブバンド１  ４０５−ａのキャリア２Ａ  ４１０−ａ−２中のＤＲＳウィンドウ４２０−ｂは、サブバンド２  ４０５−ｂのキャリア１Ｂ  ４１０−ｂ−１中のＤＲＳウィンドウ４２０−ｄと同じタイミング間隔を有し得るが、キャリア２ＡのＤＲＳウィンドウ４２０−ｂは、キャリアｎＡ  ４１０−ａ−ｎのＤＲＳウィンドウ４２０−ｃとは異なる時間に発生し得る。ＤＲＳウィンドウ４２０は、チャネルが送信機によって予約され得る（たとえば、ＤＲＳ送信がＬＢＴプロシージャの対象となり得る）ときに、ＤＲＳ送信が送信されるウィンドウを定義し得る。ＤＲＳ送信は、ＤＲＳウィンドウの始めにあり得るか、またはＤＲＳ送信は、ＤＲＳウィンドウ内の何らかの他の時点（たとえば、チャネルがウィンドウの始めにビジーであるときなど）に発生し得る。いくつかの例では、各ＤＲＳ送信は、図３Ａおよび図３Ｂを参照しながら説明した送信機会３０５、３２５、および３４０のフォーマットに従い得るが、ダウンリンクＴｘ期間の送信リソース上に同期信号、システム情報、および／または基準信号（たとえば、ＣＲＳ、ＣＳＩ−ＲＳなど）のみを含み得る。ＤＲＳ送信は、ネットワーク報告測定値（たとえば、無線リソース管理（ＲＲＭ）測定値）のために使用され得る。
【００６２】
[0071]タイミング図４００に、データ送信のために使用される４つの送信機会４１５−ａ、４１５−ｂ、４１５−ｃ、および４１５−ｄを示す。送信機会４１５−ａ、４１５−ｂ、４１５−ｃ、および４１５−ｄは、図３Ａおよび図３Ｂを参照しながら説明した送信機会３０５、３２５、および３４０と同様にまたは他の方法で構成され得る。また、送信機会４１５−ａ、４１５−ｂ、４１５−ｃおよび４１５−ｄは、時間的に隣接するか、あるいは送信機が共有無線周波数スペクトル帯域へのアクセスを求める競合に勝つことができないか、または他の理由によりデータを送信していない１つまたは複数の期間によって分離され得る。送信機会４１５−ａ、４１５−ｂ、４１５−ｃ、および４１５−ｄは、ゲーティング間隔（図示せず）に同期され得るが、送信機会４１５−ａ、４１５−ｂ、４１５−ｃ、および４１５−ｄはまた、ゲーティング間隔に関して非同期であり得る。
【００６３】
[0072]送信機会４１５−ａ、４１５−ｂ、４１５−ｃ、および４１５−ｄの各々の間に、送信機は、図３Ａ、図３Ｂ、および図３Ｃを参照しながら説明した方法でまたは別の競合プロシージャを使用してキャリア４１０−ａ、４１０−ａ−２、４１０−ａ−ｎ、４１０−ｂ−１、４１０−ｂ−２、および４１０−ｂ−ｎのうちの１つまたは複数（またはそれらのすべて）へのアクセスを求めて競合し得る。図示のように、送信機は、異なる送信機会について無線周波数スペクトル帯域の異なるキャリアへのアクセスを求める競合に勝ち得る。例として、送信機が、送信機会４１５−ａについてキャリア１Ａ  ４１０−ａ−１およびキャリア２Ａ  ４１０−ａ−２へのアクセス、送信機会４１５−ｂについてキャリア１Ａ  ４１０−ａ−１、キャリア２Ａ  ４１０−ａ−２、およびキャリアｎＡ  ４１０−ａ−ｎへのアクセス、送信機会４１５−ｃについてキャリア１Ａ  ４１０−ａ−１、キャリア２Ａ  ４１０−ａ−２、キャリア１Ｂ  ４１０−ｂ−１、およびキャリアｎＢ  ４１０−ｂ−ｎへのアクセス、送信機会４１５−ｄについてキャリア１Ｂ  ４１０−ｂ−１およびキャリアｎＢ  ４１０−ｂ−ｎへのアクセスを求める競合に勝ったことが示されている。
【００６４】
[0073]いくつかの例では、送信機は、共有無線周波数スペクトル帯域を通じて送信するときに、最大ＲＦ出力電力または最大電力スペクトル密度（ＰＳＤ）に対する制限などの電力制限の対象となり得る。いくつかの例では、電力制限は、送信機会ごとに（たとえば、送信機会４１５−ａ、４１５−ｂ、４１５−ｃ、および４１５−ｄの各々に）適用され得る。１つの電力制限は、送信機が、単一のサブバンド内の複数の隣接または非隣接キャリア上で動作しているときにサブバンド中で送信機によって使用される総ＲＦ出力電力に対する制限であり得る。たとえば、サブバンド１  ４０５−ａ内で、最大総ＲＦ出力電力は、送信機会４１５−ａ中にキャリア１Ａ  ４１０−ａ−１およびキャリア２Ａ  ４１０−ａ−２上での送信間で分割され得る。別の例では、最大総ＲＦ出力電力は、送信機会４１５−ｂ中にキャリア１Ａ  ４１０−ａ−１、キャリア２Ａ  ４１０−ａ−２、およびキャリアｎＡ  ４１０−ａ−ｎ上での送信間で分割され得る。さらなる一例では、最大総ＲＦ出力電力は、送信機会４１５−ｄ中にキャリア１Ｂ  ４１０−ｂ−１およびキャリアｎＢ  ４１０−ｂ−ｎ上での送信間で分割され得る。別の電力制限は、送信機が、複数のサブバンドにわたる複数の非隣接キャリア上で動作しているときにサブバンドごとに送信機によって使用される総ＲＦ出力電力に対する制限であり得る。たとえば、送信機会４１５−ｂ中にサブバンド２  ４０５−ｂ中で並列送信が行われていないので、サブバンド１  ４０５−ａ内で、第１の最大総ＲＦ出力電力は、送信機会４１５−ｂ中にキャリア１Ａ  ４１０−ａ−１、キャリア２Ａ  ４１０−ａ−２、およびキャリアｎＡ  ４１０−ａ−ｎ上での送信間で分割され得る。送信機会４１５−ｃ中にサブバンド２  ４０５−ｂ中で並列送信が行われているので、（第１の最大総ＲＦ出力電力よりも低い）第２の最大総ＲＦ出力電力は、送信機会４１５−ｃ中にキャリア１Ａ  ４１０−ａ−１およびキャリア２Ａ  ４１０−ａ−２上での送信間で分割され得る。この例では、第２の最大総ＲＦ出力電力は、複数のサブバンド）にわたって潜在的により大きい総ＲＦ出力電力を考慮するために第１の最大総ＲＦ出力電力よりも低くなり得る。サブバンド１  ４０５−ａが、５，１５０〜５，３５０ＭＨｚの周波数範囲にわたり、１０個のキャリアの第１のセットを含むと仮定し、サブバンド２  ４０５−ｂが、５，４７０〜５，７２５ＭＨｚの周波数範囲にわたり、１０個のキャリアの第２のセットを含むと仮定すると、以下の表（表１）は、実効等方放射電力（ＥＩＲＰ）に関する例示的な電力制限を与える。表に、送信電力制御（ＴＰＣ）有りでまたは無しで動作する送信機のための例示的な電力制限を与える。
【００６５】
【表１】
0006585198.tif 000002
【００６６】
[0074]場合によっては、送信機（たとえば、図４に示す利用率に従って共有無線周波数スペクトル帯域を使用する送信機）は、（たとえば、より良いシステムカバレージおよびスループットのために）最大許容ＲＦ出力電力およびＰＳＤで送信したいと望み得る。送信が競合ベースのものであり得るので、送信機は、いくつかの送信機会中により多数のキャリアへのアクセス、および他の送信機会中により少数のキャリアへのアクセスを求める競合に勝ち得る。サブバンドごとの総電力制限により、最大許容ＲＦ出力電力は、送信機がアクセスを求める競合に勝つサブバンド内のすべてのキャリアの間で共有され得る。これは、送信機が最大許容ＲＦ出力電力およびＰＳＤで送信したいと望む場合、送信機がサブバンド内でより多数のキャリアへのアクセスを求める競合に勝つ送信機会中に送信ＰＳＤがより低くなることになり、一方、送信機が同じサブバンド内でより少数のキャリアへのアクセスを求める競合に勝つ送信機会中に送信ＰＳＤがより高くなることになることを暗示する。送信を受信するより前に、受信機は、送信機が送信しているキャリアの数に気づいていないことがある。受信機はまた、送信のためのＰＳＤに気づいていないことがある。
【００６７】
[0075]未知のＰＳＤを用いた送信を受信することは、測定および復調などの受信の態様を複雑にすることがある。たとえば、ネットワーク報告測定値（たとえば、ＤＲＳに基づく測定値）の場合、測定されている信号のＰＳＤ変動が、インスタンスごとに、信号の複数のインスタンスを通じてとられる測定値を平均化することを困難にする。（単一レイヤの直交位相シフトキーイング（ＱＰＳＫ）送信のＣＲＳベースの復調を除く）ＣＲＳベースの復調の場合、復調は、ＴＰＲに基づき得る。ＴＰＲは、次に、ＵＥ固有電力オフセットパラメータ（ＰA）およびセル固有電力オフセットパラメータ（ＰB）に基づき得る。送信機は、ＲＲＣシグナリングを使用して、静的または半静的に受信機にＰAパラメータとＰBパラメータとを示し得る。しかしながら、ＲＲＣシグナリングインスタンス間のＰＳＤの相違は、ＴＰＲ不一致を生じることがあり（すなわち、示されたＴＰＲは、特定の送信機会中に実際のＰＳＤを反映しないことがあり）、ＴＰＲ不一致は、たとえば、１６直交振幅変調（１６ＱＡＭ）、６４ＱＡＭ、２５６ＱＡＭ、およびマルチレイヤ送信において性能損失を生じることがある。
【００６８】
[0076]測定、復調、あるいは未知のまたは変動するＰＳＤに少なくとも部分的に起因する他のチャレンジを低減するために、１つまたは複数の基準信号が、事前構成された送信電力レベルに関連付けられ得る。たとえば、送信電力レベルは、送信機が送信機会中に送信するキャリアの数にかかわらず、送信機会ごとに固定のままであり得る。いくつかの例では、事前構成された送信電力レベルは、総ＲＦ出力電力を１つのキャリアに割り振ることに基づき得るか、または、（たとえば、キャリアのすべてへのアクセスを求める競合に勝つことになるという仮定に基づき）すべての可能なキャリア間で総ＲＦ出力電力を等しく割り振ることに基づき得る。
【００６９】
[0077]一実施形態では、送信機によって送信される各基準信号は、事前構成された送信電力レベルに関連付けられ得る。場合によっては、データ送信中のＤＲＳおよび基準信号の各々（たとえば、ＣＲＳ、ＣＳＩ−ＲＳなど）は、同じ事前構成された送信電力レベルに関連付けられ得る。他の場合には、ＤＲＳ、データ送信ＣＲＳ、およびデータ送信ＣＳＩ−ＲＳのうちの１つまたは複数は、異なる送信電力レベルに関連付けられ得る（たとえば、ＤＲＳは、事前構成された送信電力レベルＡに関連付けられ得、データ送信ＣＲＳは、事前構成された送信電力レベルＢに関連付けられ得、データ送信ＣＳＩ−ＲＳは、事前構成された送信電力レベルＣに関連付けられ得る）。基準信号に関連する送信電力レベルにもかかわらず、無線周波数スペクトル帯域のキャリア（たとえば、キャリア４１０−ａ−１、４１０−ａ−２、４１０−ａ−ｎ、４１０−ｂ−１、４１０−ｂ−ｎなど）に関連するトラフィック電力は、所与の送信機会にアクセスを求める競合に勝つキャリアの数およびロケーションに応じて送信機会ごとに変動し得る。トラフィック電力の変動は、より良い電力利用率、カバレージ、スループットなどを可能にすることができる。
【００７０】
[0078]データ送信ＣＲＳが事前構成された送信電力レベルで送信されるとき、送信機は、ＤＲＳ（たとえば、ＤＲＳ送信中のＣＲＳ）の事前構成された送信電力レベルを基準とする少なくとも１つの基準ＴＰＲインジケータ（たとえば、基準ＰAまたは基準ＰB）を（たとえば、ＲＲＣシグナリング中で）与え得る。送信機はまた、送信機会ごとに少なくとも１つのＴＰＲ調整インジケータ（たとえば、ＰA調整インジケータまたはＰB調整インジケータ）を与え得る。送信機会のためのＴＰＲ調整インジケータは、基準ＴＰＲに対するＴＰＲ変動を示し得、ＰＣＣまたはＳＣＣのいずれか上で物理フレームフォーマットインジケータチャネル（ＰＦＦＩＣＨ：physical frame format indicator channel）または許可（たとえば、ＵＥ固有の許可または共通の許可）中で受信機にシグナリングされ得る。受信機は、次いで、事前構成された送信電力レベル、ＣＲＳの測定値、少なくとも１つの基準ＴＰＲインジケータ、および少なくとも１つのＴＰＲ調整インジケータに少なくとも部分的に基づいて送信機会中に含まれるトラフィックを復調し得る。
【００７１】
[0079]受信機にシグナリングすべき多くの可能なＴＰＲ調整インジケータがあるとき、送信機は、ＴＰＲ調整インジケータのより粗いセットに基づいて動作し得る（たとえば、ＴＰＲ調整インジケータは、２０個のセットのＴＰＲ調整インジケータの代わりに４つのセットのＴＰＲ調整インジケータで量子化され得る）。ＴＰＲ調整インジケータのより粗いセットに基づく動作は、送信機会のための１つまたは複数のＴＰＲ調整インジケータのセットをシグナリングするために使用されるビット数を低減することができる（たとえば、ＴＰＲ調整インジケータの２０個のセットのうちの１つをシグナリングするために５ビットが必要とされ得るが、ＴＰＲ調整インジケータの４つのセットのうちの１つをシグナリングするために２ビットのみが必要とされ得る）。
【００７２】
[0080]別の実施形態では、送信機によって送信されるＤＲＳは、事前構成された送信電力レベルに関連付けられ得、データトラフィック送信中で送信機によって送信されるＣＲＳおよび／またはＣＳＩ−ＲＳは、送信依存の送信電力レベルに関連付けられ得る。たとえば、基準信号のための送信依存の送信電力レベルは、送信機が送信機会中に送信するキャリアの数に依存し得る。同様に、無線周波数スペクトル帯域のキャリア（たとえば、キャリア４１０−ａ−１、４１０−ａ−２、４１０−ａ−ｎ、４１０−ｂ−１、４１０−ｂ−２、または４１０−ｂ−ｎ）に関連するトラフィック電力はまた、所与の送信機会にアクセスを求める競合に勝つキャリアの数およびロケーションに応じて送信機会ごとに変動し得る。トラフィック電力の変動は、より良い電力利用率、カバレージ、スループットなどを可能にすることができる。
【００７３】
[0081]ＣＲＳまたはＣＳＩ−ＲＳが送信依存の送信電力レベルで送信されるとき、送信機は、固定送信電力（たとえば、ＤＲＳのための送信電力レベル）を基準とする少なくとも１つの基準ＴＰＲインジケータ（たとえば、基準ＰAまたは基準ＰB）を（たとえば、ＲＲＣシグナリング中に）与え得るが、ＣＲＳまたはＣＳＩ−ＲＳの送信依存の送信電力レベルをシグナリングすることもシグナリングしないこともある。そのような実施形態では、（周波数内測定値および周波数間測定値を含む）受信機によるネットワーク報告（たとえば、ＲＲＭ）測定値が、ＤＲＳの測定値に制限され得る。しかしながら、ＣＲＳまたはＣＳＩ−ＲＳの送信依存の送信電力レベルがシグナリングされるとき、あるいは受信機が、ＣＲＳまたはＣＳＩ−ＲＳの送信依存の送信電力レベルをブラインド検出することが可能であるとき、（たとえば、異なる送信機会にわたってフィルタ処理される）ＣＲＳおよびＣＳＩ−ＲＳ測定値がチャネル推定のために使用され得、受信機のサービングセルに関係するチャネルフィードバック測定値は、ＤＲＳ測定値、ＣＲＳ測定値、および／またはＣＳＩ−ＲＳ測定値の組合せに基づき得る。隣接セルによって送信されたＣＲＳまたはＣＳＩ−ＲＳのための可変送信電力のブラインド検出に基づくＣＲＳ測定値および／またはＣＳＩ−ＲＳ測定値が、干渉消去（ＩＣ）またはセル選択のために使用され得る。さらに、ＣＲＳまたはＣＳＩ−ＲＳの送信電力レベルを決定することにより、ＵＥは、より正確なチャネル状態フィードバックを与えることと、受信されたトラフィックをより効率的に復調することとが可能になり得る。
【００７４】
[0082]ＣＲＳまたはＣＳＩ−ＲＳの送信のために使用される送信依存の送信電力レベルのブラインド検出を容易にするために、送信機は、比較的小さいセットの値のうちの１つに送信依存の送信電力レベルを量子化し得る。代替的に、送信機は、（たとえば、許容範囲の最小値を高めることおよび／または許容範囲の最大値を低下させることによって）送信依存の送信電力レベルの許容範囲を限定するか、あるいは送信電力レベルの複数の個別範囲のうちの１つ内の（たとえば、受信機によって容易に検出可能な十分な分離を有するいくつかの範囲のうちの１つ内の）送信依存の送信電力レベルを選択し得る。
【００７５】
[0083]上記の実施形態のいずれかにおいて受信機からチャネルフィードバックを受信すると、送信機は、チャネルフィードバック報告と送信のデータ部分のために使用されるトラフィック電力とに基づいて送信のために使用される変調およびコーディングスキーム（ＭＣＳ）を調整し得る。たとえば、チャネルフィードバック報告は、正規化されたチャネル品質測定値に基づき得、送信機は、正規化されたチャネル品質フィードバックとトラフィック電力とに基づいてＭＣＳを調整し得る。一例では、正規化されたチャネル品質は、１つのキャリア中での送信のために使用されるトラフィック電力に相対的であり、複数のキャリアにわたる送信は、キャリアの数によってスケーリングされるトラフィック電力を有する。
【００７６】
[0084]図５に、本開示の様々な態様による、共有無線周波数スペクトル帯域のキャリアのための送信電力レベル図５００を示す。図５００は、図１〜図４を参照しながら説明した事前構成されたおよび／または送信依存の送信電力レベルで基準信号を送信する一例であり得る。
【００７７】
[0085]送信電力レベル図５００に、送信機（たとえば、基地局）による使用のために構成された（たとえば、図４のサブバンド４０５−ａおよび４０５−ｂ中の）いくつかのキャリアのうちの１つのキャリア（たとえば、キャリア１Ａ  ４１０−ａ−１）を通じた信号のための送信電力を示す。キャリア１Ａ  ４１０−ａ−１は、共有無線周波数スペクトル帯域のキャリアであり得、送信機は、図３Ａ、図３Ｂ、および図３Ｃを参照しながら説明した方法で、または別の競合プロシージャを使用してキャリア１Ａ  ４１０−ａ−１へのアクセスを求めて競合し得る。例として、送信機は、図４に示すように、送信機会４１５−ａ、４１５−ｂ、および４１５−ｃについてキャリア１Ａ  ４１０−ａ−１へのアクセスを求める競合に勝ったことが示されている。
【００７８】
[0086]送信機は、ＤＲＳウィンドウ４２０−ａ中にＤＲＳ５２０を送信し得、ここで、ＤＲＳウィンドウ４２０−ａは、所定のタイミング間隔で発生する。ＤＲＳ５２０は、キャリア１Ａ  ４１０−ａ−１のための事前構成された送信電力レベルＰNで送信され得、ここで、ＤＲＳのための事前構成された送信電力レベルは、キャリアごとに異なり得る。ＤＲＳについて、事前構成された送信電力レベルは、総ＲＦ出力電力を１つのキャリアに割り振ることに基づき得るか、またはサポートされるキャリアのサブセット（たとえば、すべてまで）の間で等しく総ＲＦ出力電力を割り振ることに基づき得る。
【００７９】
[0087]送信機はまた、送信依存の送信電力レベルを有し得る送信機会内で基準信号を送信し得る。たとえば、送信機は、送信機会４１５−ａ、４１５−ｂ、および４１５−ｃ中で送信依存の送信電力レベルで基準信号を送信し得る。データはまた、基準信号電力とそれぞれのＴＰＲ値とに依存するトラフィック電力レベルで送信機会４１５−ａ、４１５−ｂ、および４１５−ｃ中に送信され得る。送信機会中に送信される基準信号のための送信電力レベルは、送信機がリッスンビフォアトークプロシージャを介して送信するためにアクセスに勝ったキャリアの数に従って変動し得る。
【００８０】
[0088]受信機は、電力レベルを検出することによって、または電力レベルのインジケーションを送信機から受信することによって基準信号の送信依存の電力レベルを決定し得る。電力レベルを検出する場合、受信機は、送信機会中に基準信号を受信し得る。受信機は、次いで、知られている送信電力レベル（たとえば、ＤＲＳ）のための受信電力レベルに対する基準信号の受信電力レベルに基づいて基準信号の送信電力レベルを検出し得る。基準信号のための検出された電力に応じて、受信機は、次いで、送信機が送信機会中に送信しているキャリアの数を決定することが可能であり得る。たとえば、送信機会４１５−ａ中の基準信号電力レベルは、キャリアのためのＤＲＳ送信中に送信される基準信号の事前構成された送信電力レベルの約１／２（たとえば、ＰN/2）として検出され得る。受信機は、次いで、送信機会４１５−ａについて送信機が送信している２つのキャリアがあると決定し得る。別の例では、送信機会４１５−ｂ中の基準信号電力レベルは、キャリアのためのＤＲＳ中に送信される基準信号の事前構成された送信電力レベルの約１／３（たとえば、ＰN/3）として検出され得る。受信機は、次いで、送信機会４１５−ｂについて送信機が送信している３つのキャリアがあると決定し得る。またさらなる例では、送信機会４１５−ｃ中の基準信号電力レベルは、キャリアのためのＤＲＳ中に送信される基準信号の事前構成された送信電力レベルの約１／４（たとえば、ＰN/4）として検出され得る。受信機は、次いで、送信機会４１５−ｃについて送信機が送信している４つのキャリアがあると決定し得る。受信機は、（たとえば、フィードバック報告のための受信電力レベルをスケーリングまたは正規化することによって）チャネルフィードバックを決定する際に検出された送信電力レベルを使用し得る。受信機はまた、（たとえば、識別された送信電力とＴＰＲとに基づいて）送信のデータトラフィックの送信電力レベルを識別し、復号中にデータトラフィック送信電力レベルを使用し得る。実際の受信電力が変動するチャネル状態により変動し得るので、受信機は、特定の送信機会中に送信機によって使用されるキャリアの数を決定する際にしきい値を適用し得る。たとえば、２つのキャリアを通じた送信は、送信機会４１５−ａ中の基準信号のための受信電力が、第１のしきい値よりも大きく、第２のしきい値よりも小さいときに検出され得、ここで、第１のしきい値と第２のしきい値とは、ＤＲＳの受信電力レベル（たとえば、平均化されたものなど）から決定され得る。
【００８１】
[0089]代替的に、受信機は、送信機会中に送信される基準信号のための送信電力レベルのインジケーションを送信機から受信し得る。受信機は、基準信号の送信依存の電力レベルを決定することに基づいてトラフィックをより効率的に復調する、および／または送信機にチャネルフィードバックをより正確に与えることが可能であり得る。
【００８２】
[0090]図６に、本開示の様々な態様による、共有無線周波数スペクトル帯域の複数のキャリアを介した通信のためのワイヤレスデバイス６００のブロック図を示す。ワイヤレスデバイス６００は、図１〜図５を参照しながら説明したＵＥ１１５の態様の一例であり得る。ワイヤレスデバイス６００は、受信機６０５と、受信電力コントローラ６１０と、送信機６１５とを含み得る。受信電力コントローラ６１０は、ＤＲＸ構成マネージャ６２０と、基準信号プロセッサ６３０と、ネットワーク報告マネージャ６４０とを含み得る。ワイヤレスデバイス６００はプロセッサをも含み得る。これらの構成要素の各々は互いに通信していることがある。
【００８３】
[0091]受信機６０５は、複数のキャリアを介して信号を受信し、パケット、ユーザデータ、または複数のキャリアに関連する制御情報などの情報６４５を生成し得る。情報６４５は、受信電力コントローラ６１０に、およびワイヤレスデバイス６００の他の構成要素に受け渡され得る。いくつかの例では、受信機６０５は、サービングｅＮＢから、基準信号の送信電力レベルのインジケータを受信し得る。追加または代替として、受信機６０５は、サービングｅＮＢから、共有周波数スペクトルの複数のキャリアを通じて１つまたは複数の基準信号を受信し得る。
【００８４】
[0092]ＤＲＳ構成マネージャ６２０は、複数のキャリアのためのＤＲＳ構成に関する情報６４５を処理し得、ＤＲＳ構成に従って基準信号（たとえば、ＣＲＳ、ＣＳＩ−ＲＳなど）のための複数のキャリアをモニタするように受信機６０５を制御し得る。ＤＲＳ構成マネージャ６２０はまた、基準信号プロセッサ６３０にＤＲＳ測定値構成６２５を受け渡し得る。ＤＲＳ測定値構成６２５は、基準信号の測定値と基準信号の事前構成された送信電力レベルとのためのＤＲＳウィンドウを含み得る。基準信号プロセッサ６３０は、ＤＲＳ送信中の複数のキャリア上で受信機６０５によって検出された基準信号の測定を実行し得る。基準信号プロセッサ６３０は、ネットワーク報告プロセッサ６４０に基準信号測定値６３５を受け渡し得る。ネットワーク報告プロセッサ６４０は、基準信号測定値６３５を処理してチャネルフィードバックメッセージ６５５を生成し得、これは、次いで、サービングｅＮＢへの送信のために送信機６１５に受け渡され得る。たとえば、ネットワーク報告プロセッサ６４０は、事前構成された送信電力レベルで送信される各キャリアのためのＤＲＳ送信中の基準信号に基づいて基準信号測定値６３５をフィルタ処理し得る。
【００８５】
[0093]送信機６１５は、チャネルフィードバックメッセージ６５５および／またはワイヤレスデバイス６００の他の構成要素から受信された他の情報を送信し得る。いくつかの例では、送信機６１５は、トランシーバマネージャ中で受信機６０５とコロケートされ得る。送信機６１５は、単一のアンテナを含み得るか、または複数のアンテナを含み得る。
【００８６】
[0094]図７に、本開示の様々な態様による、共有無線周波数スペクトル帯域の複数のキャリアを介した通信のワイヤレスデバイスの構成要素であり得る受信電力コントローラ６１０−ａのブロック図７００を示す。受信電力コントローラ６１０−ａは、ＤＲＳ構成マネージャ６２０−ａと、基準信号プロセッサ６３０−ａと、ネットワーク報告マネージャ６４０−ａとを含み得る。これらのモジュールは、図６のＤＲＳ構成マネージャ６２０、基準信号プロセッサ６３０、およびネットワーク報告マネージャ６４０を参照しながら説明した機能を実行し得る。受信電力コントローラ６１０−ａはまた、復調器７１０と、ＣＳＩフィードバックマネージャ７１５と、セル接続マネージャ７２０とを含み得る。
【００８７】
[0095]ＤＲＳ構成マネージャ６２０−ａは、複数のキャリアのためのＤＲＳ構成に関する情報６４５−ａを処理し得る。ＤＲＳ構成マネージャ６２０−ａはまた、基準信号プロセッサ６３０−ａにＤＲＳ測定値構成６２５−ａを受け渡し得る。ＤＲＳ測定値構成６２５−ａは、基準信号の測定値と基準信号の事前構成された送信電力レベルとのためのＤＲＳウィンドウを含み得る。
【００８８】
[0096]基準信号プロセッサ６３０−ａは、ＤＲＳおよびデータ送信中の基準信号のための電力レベルを決定し得るＲＳ電力検出器７０５を含み得る。基準信号プロセッサ６３０−ａは、図２〜図４を参照しながら説明したように、少なくとも１つの基準ＴＰＲインジケータ７０７を受信し得る。少なくとも１つの基準ＴＰＲインジケータ７０７は、基準ＵＥ固有電力オフセットパラメータ（ＰA）と基準セル固有電力オフセットパラメータ（ＰB）とを含み得る。少なくとも１つの基準ＴＰＲインジケータ７０７は、ＲＲＣシグナリングを介してＵＥにおいて受信され得る。共有周波数スペクトル中でのキャリアを通じたデータ送信の処理のために、ＲＳ電力検出器７０５はまた、少なくとも１つのＴＰＲ調整インジケータ７０６を受信し得、これは、帯域中のキャリアの各々の単一の値または帯域のそれぞれのキャリアの個別の値であり得る。少なくとも１つのＴＰＲ調整インジケータ７０６は、ＰＦＦＩＣＨまたは許可（たとえば、ＵＥ固有の許可または共通の許可）のうちの少なくとも１つを介して受信され得る。基準信号（たとえば、ＣＲＳ、ＣＳＩ−ＲＳ）が（たとえば、予約されたキャリアの数に基づく送信デペンダントであり得る送信電力レベルで）データ送信中に送信されるとき、ＲＳ電力検出器７０５は、送信中に基準信号を測定することに基づいて送信のキャリアのためのそれぞれの第２の送信電力レベルを検出し得る。代替的に、ＲＳ電力検出器７０５は、送信のキャリアのためのそれぞれの送信電力レベルの少なくとも１つのインジケータを受信し得る。
【００８９】
[0097]いくつかの例では、復調器７１０は、図１〜図５を参照しながら説明したように、送信中の基準信号の示されたかまたは検出された送信電力レベル７６５と、基準信号の測定電力レベルと、少なくとも１つのＴＰＲインジケータとに少なくとも部分的に基づいて送信のデータシンボル７５０を復調し得る。
【００９０】
[0098]基準信号プロセッサ６３０−ａは、データ送信中の基準信号のための送信電力レベルを決定し、ＣＳＩフィードバックマネージャ７１５に検出されたＲＳ電力レベル７３５を受け渡し得る。ＣＳＩフィードバックマネージャ７１５は、検出されたＲＳ電力レベルに基づいてチャネルフィードバックを決定し得る。たとえば、ＣＳＩフィードバックマネージャ７１５は、検出されたＲＳ電力レベルと基準信号のための識別された送信電力レベルとを比較することによって異なる送信（たとえば、異なる数の送信キャリアを有する複数の異なる送信）にわたる検出されたＲＳ電力レベルを組み合わせ得る。測定されたＣＳＩは、たとえば、１つのキャリアのために使用される送信電力に正規化することによって送信にわたって組み合わされ得る。ＣＳＩフィードバックマネージャ７１５は、図１〜図５を参照しながら説明したように、基地局にＣＳＩフィードバックメッセージを送信し得る。
【００９１】
[0099]セル接続マネージャ７２０は、基準信号プロセッサ６３０−ａからＤＲＳ測定値７５５を受信し得、これは、複数のＤＲＳ送信中の基準信号の測定値を含み得る。セル接続マネージャ７２０は、図１〜図５を参照しながら説明したように、測定値に基づいてサービングセルとして基地局を選択し得る。
【００９２】
[0100]基準信号プロセッサ６３０−ａは、ネットワーク報告プロセッサ６４０−ａに基準信号測定値６３５−ａを受け渡し得る。ネットワーク報告プロセッサ６４０−ａは、基準信号測定値６３５−ａを処理してチャネルフィードバックメッセージを生成し得、これは、次いで、サービングｅＮＢへの送信のために送信機６１５に受け渡され得る。たとえば、ネットワーク報告プロセッサ６４０−ａは、事前構成された送信電力レベルで送信される各キャリアのためのＤＲＳ送信中の基準信号に基づいて基準信号測定値６３５−ａをフィルタ処理し得る。
【００９３】
[0101]図８に、本開示の様々な態様による、共有無線周波数スペクトル帯域の複数のキャリア上で送信するように構成されたＵＥ１１５−ｅを含むシステム８００の図を示す。システム８００は、図１、図２、および図５〜図７を参照しながら説明したワイヤレスデバイス６００またはＵＥ１１５の一例であり得るＵＥ１１５−ｅを含み得る。ＵＥ１１５−ｅは、図６および図７を参照しながら説明した受信電力コントローラ６１０の一例であり得る受信電力コントローラ６１０−ｂを含み得る。ＵＥ１１５−ｅは、通信を送信するための構成要素と通信を受信するための構成要素とを含む、双方向音声およびデータ通信のための構成要素をも含み得る。たとえば、ＵＥ１１５−ｅは、基地局１０５−ｃまたはＵＥ１１５−ｆと双方向に通信し得る。
【００９４】
[0102]ＵＥ１１５−ｅはまた、プロセッサ８０５と、（ソフトウェア（ＳＷ）を含む）メモリ８１５  ８２０と、トランシーバ８３５と、１つまたは複数のアンテナ８４０とを含み得、それらの各々は、（たとえば、バス８４５を介して）互いに直接または間接的に通信し得る。トランシーバ８３５は、上記で説明したように、アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のためにアンテナ８４０に与え、アンテナ８４０から受信されたパケットを復調するためのモデムを含み得る。ＵＥ１１５−ｅは単一のアンテナ８４０を含み得るが、ＵＥ１１５−ｅはまた、複数のワイヤレス送信を同時に送信または受信することが可能な複数のアンテナ８４０を有し得る。
【００９５】
[0103]メモリ８１５は、ランダムアクセスメモリ（ＲＡＭ）と、読取り専用メモリ（ＲＯＭ）とを含み得る。メモリ８１５は、実行されたとき、プロセッサ８０５に、本明細書で説明する様々な機能（たとえば、共有無線周波数スペクトル帯域の複数のキャリア上で送信することなど）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス、（たとえば、中央処理ユニット（ＣＰＵ）、マイクロコントローラ、特定用途向け集積回路（ＡＳＩＣ）など）を含み得る。
【００９６】
[0104]受信電力コントローラ６１０を含む、ワイヤレスデバイス６００またはＵＥ１１５−ｅの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９７】
[0105]図９に、本開示の様々な態様による、共有無線周波数スペクトル帯域の複数のキャリア上で送信される信号を処理するための方法９００を示すフローチャートを示す。方法９００の動作は、図１〜図８を参照しながら説明したように、ＵＥ１１５またはそれの構成要素によって実施され得る。たとえば、方法９００の動作は、図６〜図８を参照しながら説明したように、受信電力コントローラ６１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能を実行し得る。
【００９８】
[0106]ブロック９０５において、ＵＥ１１５は、（たとえば、ＣＡモードでＵＥ１１５のために構成された）ＲＦスペクトル帯域の複数のキャリアをモニタし得、ここで、複数のキャリアを通じた送信は、ＬＢＴプロシージャの対象となる。送信は、図４を参照しながら説明したように、異なる時間にＲＦスペクトル帯域の複数のキャリアの異なるセット中でＵＥにおいて受信され得る。いくつかの例では、ブロック９０５の動作は、図６を参照しながら説明した受信機６０５によって実行され得る。
【００９９】
[0107]ブロック９１０において、ＵＥ１１５は、第１の基準信号がＤＲＳ構成に従って複数のキャリアのうちの１つまたは複数を通じて受信されたのかどうかを決定し得、ここで、第１の基準信号は、図４を参照しながら説明したように、それぞれの第１の送信電力レベルに関連付けられる。いくつかの例では、ブロック９１０の動作は、図６を参照しながら説明した受信電力コントローラ６１０によって実行され得る。第１の基準信号が受信されない場合、ＵＥ１１５は、ブロック９０５において説明したように、ＲＦスペクトル帯域の複数のキャリアをモニタし続け得る。
【０１００】
[0108]ブロック９１５において、ＵＥ１１５は、図４を参照しながら説明したように、ＤＲＳ構成に従って複数のキャリアのうちの１つまたは複数を通じて送信された第１の基準信号の測定値に少なくとも部分的に基づいてネットワーク報告測定値を決定し得る。いくつかの例では、ブロック９１５の動作は、図６を参照しながら説明した基準信号プロセッサ６３０によって実行され得る。
【０１０１】
[0109]ブロック９２０において、ＵＥ１１５は、送信が複数のキャリアのうちのキャリアの第１のセットを通じて受信されたのかどうかを決定し、送信は、図４を参照しながら説明したように、第２の基準信号を含み得る。いくつかの例では、ブロック９２０の動作は、図６を参照しながら説明した受信機６０５によって実行され得る。送信が受信されない場合、ＵＥ１１５は、ブロック９０５において説明したように、ＲＦスペクトル帯域の複数のキャリアをモニタし続け得る。
【０１０２】
[0110]ブロック９２５において、ＵＥ１１５は、図４を参照しながら説明したように、キャリアの第１のセットのための第２の基準信号のそれぞれの第２の送信電力レベルを識別し得る。ＵＥ１１５は、それぞれの第２の送信電力レベルを示すインジケータを受信することに基づいてそれぞれの第２の送信電力レベルを識別し得る。代替的に、ＵＥ１１５は、キャリアのためのＤＲＳ信号中の事前構成された送信電力レベル（たとえば、ＤＲＳ中の第１の基準信号に関連する第１のそれぞれの送信電力レベル）を基準とする量子化された受信電力レベルに対する受信電力レベルの相関を検出することに基づいてそれぞれの第２の送信電力レベルを識別し得る。いくつかの例では、ブロック９２５の動作は、図６を参照しながら説明した基準信号プロセッサ６３０によって実行され得る。
【０１０３】
[0111]ブロック９３０において、ＵＥ１１５は、それぞれの第２の送信電力レベルと、第２の基準信号の測定電力レベルと、少なくとも１つのＴＰＲインジケータとの少なくとも部分的に上で送信を復調し得る。いくつかの例では、ブロック９３０の動作は、図７を参照しながら説明した復調器７１０によって実行され得る。
【０１０４】
[0112]ブロック９３５において、ＵＥ１１５は、識別された第２の送信電力レベルに少なくとも部分的に基づいてキャリアの第１のセットのうちの少なくとも１つのキャリアのためのチャネルフィードバック測定値を決定し得る。たとえば、チャネルフィードバック測定値は、送信のために使用されるキャリアの数に従って受信電力レベルをスケーリングまたは正規化することに基づいて決定され得る。複数の送信にわたってスケーリングまたは正規化された電力レベルは、（たとえば、フィルタ処理することなどによって）チャネルフィードバック測定値を決定する際に使用され得る。いくつかの例では、ブロック９３５の動作は、図７を参照しながら説明したＣＳＩフィードバックマネージャによって実行され得る。
【０１０５】
[0113]図１０に、本開示の様々な態様による、共有無線周波数スペクトル帯域の複数のキャリアを通じて送信するための基地局１０５の構成要素であり得る基準信号構成マネージャ１０４５のブロック図１０００を示す。基準信号構成マネージャ１０４５は、キャリア構成マネージャ１０５０と、キャリア選択マネージャ１０１０と、信号測定プロセッサ１００５とを含み得る。
【０１０６】
[0114]キャリア構成マネージャ１０５０は、基地局１０５によってサポートされるキャリアのための基準信号のための構成を決定し得る。たとえば、キャリア構成マネージャ１０５０は、ＤＲＳ送信中のキャリアのためのＤＲＳ構成と基準信号（たとえば、ＣＲＳ、ＣＳＩ−ＲＳ）のための送信電力レベルとを決定し得る。構成マネージャ１０５０は、送信機１０６０ならびにキャリア選択マネージャ１０１０に構成メッセージ１０１５を転送し得る。構成メッセージ１０１５は、キャリアを通じたＤＲＳ送信および／またはデータ送信のためのＤＲＳ構成および／または送信電力レベルを含み得る。追加または代替として、構成メッセージ１０１５は、少なくとも１つのＴＰＲインジケータを含み得る。送信機１０６０は、被サービスＵＥ１１５に構成メッセージ１０１５を送信し得る。
【０１０７】
[0115]受信機１０５５は、シグナリング１０２０を受信し得、これは、被サービスＵＥ１１５からネットワーク測定値報告を含み得る。追加または代替として、シグナリング１０２０は、リッスンビフォアトーク（ＬＢＴ）プロシージャの対象となるキャリアの数を含み得る。受信機１０５５は、信号測定値プロセッサ１００５に報告されたネットワーク測定値１０２５を転送し得る。報告されたネットワーク測定値１０２５は、無線リソース管理（ＲＲＭ）測定値に関する情報を含み得る。信号測定プロセッサ１００５は、報告されたネットワーク測定値１０２５を処理し、キャリア選択マネージャ１０１０に処理された測定メッセージ１０３０を転送し得る。処理された測定メッセージ１０３０は、キャリア測定情報を含み得る。キャリア選択マネージャ１０１０は、処理された測定メッセージ１０３０に基づいてキャリアの数を選択し得る。追加または代替として、受信機１０５５は、キャリアアクセス測定プロセッサ１０７５にシグナリング１０６５を転送し得る。キャリアアクセス測定プロセッサ１０７５は、キャリア選択マネージャ１０１０にキャリアアクセス情報メッセージ１０７０を転送し得る。キャリアアクセス情報メッセージ１０６５は、リッスンビフォアトーク（ＬＢＴ）プロシージャの結果として、送信するために利用可能ないくつかのキャリアを含み得る。キャリア選択マネージャは、次いで、送信するために利用可能であるいくつかのキャリアのセットを選択し得、送信機１０６０にキャリア選択情報メッセージ１０３５を送り得、ここで、キャリア選択情報メッセージは、送信するために利用可能であるいくつかのキャリアのうちの選択されたキャリアのセットを含み得る。送信機１０６０は、次いで、ＵＥ１１５に送信情報１０４０を送信し得る。
【０１０８】
[0116]図１１に、本開示の態様による、共有無線周波数スペクトル帯域の複数のキャリア上で送信するように構成された基地局１０５−ｄを含むシステム１１００の図を示す。基地局１０５−ｄは、図１および図２を参照しながら説明した基地局１０５の一例であり得る。基地局１０５−ｄは、図１０を参照しながら説明した基準信号構成マネージャ１０４５の一例であり得る、基準信号構成マネージャ１０４５−ａを含み得る。基地局１０５−ｄは、通信を送信するための構成要素と通信を受信するための構成要素とを含む、双方向音声およびデータ通信のための構成要素をも含み得る。たとえば、基地局１０５−ｄは、基地局１０５−ｅ、基地局１０５−ｆ、ＵＥ１１５−ｆ、および／またはＵＥ１１５−ｇと双方向に通信し得る。
【０１０９】
[0117]場合によっては、基地局１０５−ｄは１つまたは複数のワイヤードバックホールリンクを有し得る。基地局１０５−ｄは、コアネットワーク１３０−ａへのワイヤードバックホールリンク（たとえば、Ｓ１インターフェースなど）を有し得る。基地局１０５−ｄはまた、基地局間バックホールリンク（たとえば、Ｘ２インターフェース）を介して基地局１０５−ｅおよび基地局１０５−ｆなど、他の基地局１０５と通信し得る。基地局１０５の各々は、同じまたは異なるワイヤレス通信技術を使用してＵＥ１１５と通信し得る。場合によっては、基地局１０５−ｄは、基地局通信マネージャ１１２５を利用して１０５−ｅまたは１０５−ｆなどの他の基地局と通信し得る。いくつかの例では、基地局通信マネージャ１１２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０−ａを通して他の基地局と通信し得る。場合によっては、基地局１０５−ｄは、ネットワーク通信マネージャ１１３０を通してコアネットワーク１３０と通信し得る。
【０１１０】
[0118]基地局１０５−ｄは、プロセッサ１１０５と、メモリ１１１５と、トランシーバ１１３５と、アンテナ１１４０とを含み得、それらの各々は、（たとえば、バス１１４５を通じて）直接または間接的に、互いに通信していることがある。トランシーバ１１３５は、アンテナ１１４０を介して、マルチモードデバイスであり得るＵＥ１１５と双方向に通信するように構成され得る。トランシーバ１１３５（または基地局１０５−ｃの他の構成要素）はまた、アンテナ１１４０を介して、１つまたは複数の他の基地局（図示せず）と双方向に通信するように構成され得る。トランシーバ１１３５は、パケットを変調し、変調されたパケットを送信のためにアンテナ１１４０に与え、アンテナ１１４０から受信されたパケットを復調するように構成されたモデムを含み得る。基地局１０５−ｄは、各々が１つまたは複数の関連するアンテナ１１４０をもつ、複数のトランシーバ１１３５を含み得る。トランシーバ１１３５およびアンテナ１１４０は、図１０を参照しながら説明した受信機１０５５と送信機１０６０の両方（たとえば、受信機１０５５兼送信機１０６０など）の態様の一例であり得る。
【０１１１】
[0119]メモリ１１１５はＲＡＭおよびＲＯＭを含み得る。メモリ１１１５はまた、プロセッサ１１０５によって実行されたとき、基地局１０５−ｄに本明細書で説明する様々な機能（たとえば、カバレージ拡張技法を選択すること、呼処理、データベース管理、メッセージルーティングなど）を実行させるように構成された命令を含んでいるコンピュータ可読、コンピュータ実行可能ソフトウェア／ファームウェアコード１３２０を記憶し得る。代替的に、ソフトウェア／ファームウェアコード１１２０は、プロセッサ１１０５によって直接的に実行可能でないことがあるが、たとえば、コンパイルされ実行されたとき、コンピュータに本明細書で説明する機能を実行させるように構成され得る。プロセッサ１１０５は、インテリジェントハードウェアデバイス、たとえば、ＣＰＵ、マイクロコントローラ、ＡＳＩＣなどを含み得る。プロセッサ１１０５は、エンコーダ、キュー処理マネージャ、ベースバンドプロセッサ、無線ヘッドコントローラ、デジタル信号プロセッサ（ＤＳＰ）など、様々な専用プロセッサを含み得る。
【０１１２】
[0120]基地局通信マネージャ１１２５は、他の基地局１０５との通信を管理し得る。基地局通信マネージャ１１２５は、他の基地局１０５と協働してＵＥ１１５との通信を制御するためのコントローラまたはスケジューラを含み得る。たとえば、基地局通信マネージャ１１２５は、ビームフォーミングまたはジョイント送信などの様々な干渉軽減技法のためのＵＥ１１５への送信についてのスケジューリングを協調させ得る。
【０１１３】
[0121]基準信号構成マネージャ１０４５−ａは、図１０を参照しながら説明した基準信号構成マネージャ１０４５の一例であり得、本明細書で説明するように、複数のキャリアを通じて基準信号を送信する様々な態様を管理し得る。基準信号構成マネージャ１０４５−ａは、１つまたは複数のバス１１４５を通じて直接または間接的に基地局１０５−ｄの他の構成要素と通信していることがある。基準信号構成マネージャ１０４５−ａまたはそれの部分は、プロセッサを含み得、あるいは基準信号構成マネージャ１０４５−ａの機能の一部または全部は、プロセッサ１１０５によってまたはプロセッサ１１０５に関連して実行され得る。
【０１１４】
[0122]図１２に、本開示の様々な態様による、共有無線周波数スペクトル帯域の複数のキャリア上で送信するための方法１２００を示すフローチャートを示す。方法１２００の動作は、図１〜図２および図１０〜図１１を参照しながら説明したように、基地局１０５またはそれの構成要素によって実施され得る。たとえば、方法１２００の動作は、図１０〜図１１を参照しながら説明したように、基準信号構成マネージャ１０４５によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能を実行し得る。
【０１１５】
[0123]ブロック１２０５において、基地局１０５は、通信のための共有周波数スペクトル帯域の複数のキャリアを構成し得る。いくつかの例では、キャリアの構成することは、第１の基準信号（たとえば、ＤＲＳ）の送信のためのキャリアを構成することを含み得る。追加または代替として、キャリアの構成することは、第２の基準信号（たとえば、ＣＲＳ、ＣＳＩ−ＲＳなど）を含むデータ送信信号のためのパラメータを構成することを含み得る。他の例では、キャリアの構成することは、少なくとも１つのＴＰＲインジケータの送信のためのキャリアを構成することを含み得る。いくつかの例では、ブロック１２０５の機能は、図１０を参照しながら説明したキャリア構成マネージャ１０５０によって実行され得る。
【０１１６】
[0124]ブロック１２１０において、基地局１０５は、ＤＲＳの送信のためにＤＲＳウィンドウが利用可能になるのを待ち得るか、または基地局１０５は、データが送信のためにキューイングされるのを待ち得る。
【０１１７】
[0125]ブロック１２１５において、複数のキャリアのうちの１つまたは複数のための構成されたＤＲＳウィンドウが開いている場合、基地局１０５は、ブロック１２２０に進んで、基地局１０５がウィンドウ中にＤＲＳ信号を送信することができるのかどうかを決定し得る。ブロック１２２０において、基地局１０５は、１つまたは複数のキャリアがしかるべく（たとえば、ＬＢＴプロシージャを使用して）送信するために利用可能であるのかどうかを決定し得る。ＬＢＴプロシージャの後に利用可能なキャリアがない（たとえば、あらゆるキャリアについて競合に勝てなかった）場合、基地局１０５は、次いで、ＬＢＴプロシージャを使用して送信するためのキャリアを求めて競合し続け得る。キャリアが送信するために利用可能である場合、基地局１０５は、ブロック１２２５において説明する機能を実行し得る。
【０１１８】
[0126]ブロック１２２５において、基地局１０５は、ＤＲＳ構成に従って複数のキャリアを通じて第１の基準信号を送信し得る。ＤＲＳ構成は、第１の基準信号に関連するそれぞれの第１の（たとえば、事前構成された）送信電力レベルを含み得る。
【０１１９】
[0127]ブロック１２３０において、基地局１０５は、データが送信のためにキューイングされているのかどうかを決定し得る。送信のためにキューイングされているデータがない場合、基地局１０５は、ブロック１２１０で説明したように、ＤＲＳウィンドウが利用可能になるのか、またはデータが送信のためにキューイングされるのかのいずれかを待ち続け得る。データが送信のためにキューイングされた場合、基地局１０５は、１２３５において、共有周波数スペクトル帯域中のいくつかのキャリアがＬＢＴプロシージャに従って送信するために利用可能であるのかどうかを決定し得る。ＬＢＴプロシージャの後に利用可能なキャリアがない（たとえば、あらゆるキャリアについて競合に勝てなかった）場合、基地局１０５は、次いで、ＬＢＴプロシージャを使用して送信するためのキャリアを求めて競合し続け得る。キャリアが送信するために利用可能である場合、基地局１０５は、１２４０において、送信するために利用可能であるキャリアの数（たとえば、競合に勝ったキャリアの数）を決定し得る。いくつかの例では、ブロック１２４０の機能は、図１０を参照しながら説明したキャリアアクセス測定プロセッサ１０７０によって実行され得る。
【０１２０】
[0128]ブロック１２４５において、基地局１０５は、送信のための基準信号送信電力レベルを決定し得る。基準信号送信電力レベルの決定は、送信するために利用可能なキャリアの数に少なくとも部分的に基づき得る。いくつかの例では、ブロック１２４５の機能は、図１０を参照しながら説明したキャリア構成マネージャ１０５０によって実行され得る。
【０１２１】
[0129]ブロック１２５０において、基地局は、キャリアの第１のセットを通じてデータ信号送信を送信し得る。データ信号送信は、決定された基準信号送信電力レベルで送信される第２の基準信号（たとえば、ＣＲＳ、ＣＳＩ−ＲＳ）を含み得る。さらに、データの送信電力レベルは、キャリアの第１のセット中のキャリアの数に少なくとも部分的に基づき得る。
【０１２２】
[0130]本明細書の説明は、例を与えるものであり、特許請求の範囲に記載される範囲、適用可能性、または例を限定するものではない。本開示の範囲から逸脱することなく、説明した要素の機能および構成において変更が行われ得る。様々な例は、適宜に、様々なプロシージャまたは構成要素を、省略、置換、または追加し得る。また、いくつかの例に関して説明した特徴は、他の例において組み合わされ得る。
【０１２３】
[0131]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造とデバイスとをブロック図の形式で示す。
【０１２４】
[0132]添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のいずれにも適用可能である。
【０１２５】
[0133]本明細書で説明する情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１２６】
[0134]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１２７】
[0135]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を通じて送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１２８】
[0136]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１２９】
[0137]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に、本願出願の当初の特許請求の範囲に記載された発明を付記する。
［Ｃ１］
ワイヤレス通信のための方法であって、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１の基準信号の測定値に少なくとも部分的に基づいてネットワーク報告測定値を決定すること、ここにおいて、前記第１の基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２の基準信号を含む、と、
キャリアの前記第１のセットのための前記第２の基準信号の前記それぞれの第２の送信電力レベルを識別すること、ここにおいて、前記それぞれの第２の送信電力レベルは、前記送信の送信キャリアの数に依存する、と
を備える、方法。
［Ｃ２］
前記送信に関連する少なくとも１つのトラフィック対パイロット比（ＴＰＲ）インジケータを受信することと、
前記それぞれの第２の送信電力レベルと、前記受信された第２の基準信号の測定電力レベルと、前記少なくとも１つのＴＰＲインジケータとに少なくとも部分的に基づいて前記送信を復調することと
をさらに備える、［Ｃ１］に記載の方法。
［Ｃ３］
前記それぞれの第２の送信電力レベルを前記識別することは、前記第１の基準信号の前記測定値と前記受信された第２の基準信号の前記測定電力レベルとに少なくとも部分的に基づく、
［Ｃ２］に記載の方法。
［Ｃ４］
前記それぞれの第２の送信電力レベルを前記識別することは、前記それぞれの第２の送信電力レベルの少なくとも１つのインジケータを受信することを備える、
［Ｃ１］に記載の方法。
［Ｃ５］
送信キャリアの前記数に少なくとも部分的に基づいてキャリアの前記第１のセットのうちの少なくとも１つのキャリアのためのチャネルフィードバック測定値を決定することをさらに備える、
［Ｃ１］に記載の方法。
［Ｃ６］
前記チャネルフィードバック測定値を前記決定することは、前記識別されたそれぞれの第２の送信電力レベルに少なくとも部分的に基づいて前記少なくとも１つのキャリアのための複数の送信にわたってチャネル測定値を組み合わせることを備える、
［Ｃ５］に記載の方法。
［Ｃ７］
基地局に、電力スペクトル密度測定値を示すチャネル状態情報（ＣＳＩ）フィードバックメッセージを送信することをさらに備える、
［Ｃ５］に記載の方法。
［Ｃ８］
前記それぞれの第２の送信電力レベルは、前記それぞれの第１の送信電力レベルに対する事前構成された値のセットのうちの値を備える、
［Ｃ１］に記載の方法。
［Ｃ９］
ワイヤレス通信のための方法であって、
発見基準信号（ＤＲＳ）構成に従って複数のキャリアを通じて第１の基準信号を送信すること、ここにおいて、前記複数のキャリアを通じた送信は、リッスンビフォアトーク（ＬＢＴ）プロシージャの対象となり、前記ＤＲＳ構成は、前記複数のキャリアのために事前構成され、前記第１の基準信号に関連付けられるそれぞれの第１の送信電力レベルを備える、と、
前記複数のキャリアのうちのキャリアの第１のセットを通じてデータ信号送信を送信すること、ここにおいて、前記データ信号送信は、それぞれの第２の送信電力レベルで送信される第２の基準信号を備え、前記それぞれの第２の送信電力レベルは、前記データ信号送信中のキャリアの数に依存する、と
を備える、方法。
［Ｃ１０］
前記データ信号送信のための少なくとも１つの基準トラフィック対パイロット比（ＴＰＲ）インジケータを構成することと、
キャリアの前記第１のセットによってサービスされるＵＥに前記少なくとも１つの基準ＴＰＲインジケータを送信することと
をさらに備える、［Ｃ９］に記載の方法。
［Ｃ１１］
キャリアの前記第１のセットによってサービスされるＵＥに前記それぞれの第２の送信電力レベルのインジケーションを送信することをさらに備える、
［Ｃ９］に記載の方法。
［Ｃ１２］
前記それぞれの第２の送信電力レベルは、前記それぞれの第１の送信電力レベルに対する事前構成された値のセットに少なくとも部分的に基づく、
［Ｃ９］に記載の方法。
［Ｃ１３］
ユーザ機器（ＵＥ）からチャネルフィードバック報告を受信することと、
前記受信されたチャネルフィードバック報告と前記データ信号送信中のキャリアの前記数とに少なくとも部分的に基づいて前記データ信号送信のための変調およびコーディングスキーム（ＭＣＳ）を決定することと
をさらに備える、［Ｃ９］に記載の方法。
［Ｃ１４］
ワイヤレス通信のための装置であって、
発見基準信号（ＤＲＳ）構成に従って無線周波数（ＲＦ）スペクトル帯域の複数のキャリアをモニタするための手段、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１の基準信号の測定値に少なくとも部分的に基づいてネットワーク報告測定値を決定するための手段、ここにおいて、前記第１の基準信号は、前記複数のキャリアのために事前構成されたそれぞれの第１の送信電力レベルで送信される、と、
前記複数のキャリアのうちのキャリアの第１のセットを通じた送信を受信するための手段、前記送信は、それぞれの第２の送信電力レベルで送信される第２の基準信号を含む、と、
キャリアの前記第１のセットのための前記第２の基準信号の前記それぞれの第２の送信電力レベルを識別するための手段、ここにおいて、前記それぞれの第２の送信電力レベルは、前記送信の送信キャリアの数に依存する、と
を備える、装置。
［Ｃ１５］
前記送信に関連する少なくとも１つのトラフィック対パイロット比（ＴＰＲ）インジケータを受信するための手段と、
前記それぞれの第２の送信電力レベルと、前記受信された第２の基準信号の測定電力レベルと、前記少なくとも１つのＴＰＲインジケータとに少なくとも部分的に基づいて前記送信を復調するための手段と
をさらに備える、［Ｃ１４］に記載の装置。
［Ｃ１６］
前記それぞれの第２の送信電力レベルを前記識別することは、前記第１の基準信号の前記測定値と前記受信された第２の基準信号の前記測定電力レベルとに少なくとも部分的に基づく、
［Ｃ１５］に記載の装置。
［Ｃ１７］
前記それぞれの第２の送信電力レベルを前記識別することは、前記それぞれの第２の送信電力レベルの少なくとも１つのインジケータを受信することを備える、
［Ｃ１４］に記載の装置。
［Ｃ１８］
送信キャリアの前記数に少なくとも部分的に基づいてキャリアの前記第１のセットのうちの少なくとも１つのキャリアのためのチャネルフィードバック測定値を決定するための手段をさらに備える、
［Ｃ１４］に記載の装置。
［Ｃ１９］
前記チャネルフィードバック測定値を前記決定することは、前記識別されたそれぞれの第２の送信電力レベルに少なくとも部分的に基づいて前記少なくとも１つのキャリアのための複数の送信にわたってチャネル測定値を組み合わせることを備える、
［Ｃ１８］に記載の装置。
［Ｃ２０］
基地局に、電力スペクトル密度測定値を示すチャネル状態情報（ＣＳＩ）フィードバックメッセージを送信するための手段をさらに備える、
［Ｃ１８］に記載の装置。
［Ｃ２１］
前記それぞれの第２の送信電力レベルは、前記それぞれの第１の送信電力レベルに対する事前構成された値のセットのうちの値を備える、
［Ｃ１４］に記載の装置。
［Ｃ２２］
ワイヤレス通信のための装置であって、
発見基準信号（ＤＲＳ）構成に従って複数のキャリアを通じて第１の基準信号を送信するための手段、ここにおいて、前記複数のキャリアを通じた送信は、リッスンビフォアトーク（ＬＢＴ）プロシージャの対象となり、前記ＤＲＳ構成は、前記複数のキャリアのために事前構成され、前記第１の基準信号に関連付けられるそれぞれの第１の送信電力レベルを備える、と、
前記複数のキャリアのうちのキャリアの第１のセットを通じてデータ信号送信を送信するための手段、ここにおいて、前記データ信号送信は、それぞれの第２の送信電力レベルで送信される第２の基準信号を備え、前記それぞれの第２の送信電力レベルは、前記データ信号送信中のキャリアの数に依存する、と
を備える、装置。
［Ｃ２３］
前記データ信号送信のための少なくとも１つの基準トラフィック対パイロット比（ＴＰＲ）インジケータを構成するための手段と、
キャリアの前記第１のセットによってサービスされるＵＥに前記少なくとも１つの基準ＴＰＲインジケータを送信するための手段と
をさらに備える、［Ｃ２２］に記載の装置。
［Ｃ２４］
キャリアの前記第１のセットによってサービスされるＵＥに前記それぞれの第２の送信電力レベルのインジケーションを送信するための手段をさらに備える、
［Ｃ２２］に記載の装置。
［Ｃ２５］
前記それぞれの第２の送信電力レベルは、前記それぞれの第１の送信電力レベルに対する事前構成された値のセットに少なくとも部分的に基づく、
［Ｃ２２］に記載の装置。
［Ｃ２６］
ユーザ機器（ＵＥ）からチャネルフィードバック報告を受信するための手段と、
前記受信されたチャネルフィードバック報告と前記データ信号送信中のキャリアの前記数とに少なくとも部分的に基づいて前記データ信号送信のための変調およびコーディングスキーム（ＭＣＳ）を決定するための手段と
をさらに備える、［Ｃ２２］に記載の装置。
［Ｃ２７］
システムにおけるワイヤレス通信のための装置であって、
プロセッサと、
前記プロセッサと電子通信しているメモリと、
前記メモリに記憶され、前記プロセッサによって実行されたとき、前記装置に、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１の基準信号の測定値に少なくとも部分的に基づいてネットワーク報告測定値を決定すること、ここにおいて、前記第１の基準信号は、前記複数のキャリアのために事前構成されたそれぞれの第１の送信電力レベルで送信される、と、
前記複数のキャリアのうちのキャリアの第１のセットを通じた送信を受信すること、前記送信が、それぞれの第２の送信電力レベルで送信される第２の基準信号を含む、と、
キャリアの前記第１のセットのための前記第２の基準信号の前記それぞれの第２の送信電力レベルを識別すること、ここにおいて、前記それぞれの第２の送信電力レベルは、前記送信の送信キャリアの数に依存する、と
を行わせるように動作可能な命令と
を備える、装置。
［Ｃ２８］
前記命令は、
前記送信に関連する少なくとも１つのトラフィック対パイロット比（ＴＰＲ）インジケータを受信することと、
前記それぞれの第２の送信電力レベルと、前記受信された第２の基準信号の測定電力レベルと、前記少なくとも１つのＴＰＲインジケータとに少なくとも部分的に基づいて前記送信を復調することと
を行うように前記プロセッサによってさらに実行可能である、［Ｃ２７］に記載の装置。
［Ｃ２９］
前記それぞれの第２の送信電力レベルを前記識別することは、前記第１の基準信号の前記測定値と前記受信された第２の基準信号の前記測定電力レベルとに少なくとも部分的に基づく、
［Ｃ２８］に記載の装置。
［Ｃ３０］
前記それぞれの第２の送信電力レベルを前記識別することは、前記それぞれの第２の送信電力レベルの少なくとも１つのインジケータを受信することを備える、
［Ｃ２７］に記載の装置。
［Ｃ３１］
前記命令は、
送信キャリアの前記数に少なくとも部分的に基づいてキャリアの前記第１のセットのうちの少なくとも１つのキャリアのためのチャネルフィードバック測定値を決定することを行うように前記プロセッサによってさらに実行可能である、
［Ｃ２７］に記載の装置。
［Ｃ３２］
前記チャネルフィードバック測定値を前記決定することが、前記識別されたそれぞれの第２の送信電力レベルに少なくとも部分的に基づいて前記少なくとも１つのキャリアのための複数の送信にわたってチャネル測定値を組み合わせることを備える、［Ｃ３１］に記載の装置。
［Ｃ３３］
前記命令が、
基地局に、電力スペクトル密度測定値を示すチャネル状態情報（ＣＳＩ）フィードバックメッセージを送信することを行うように前記プロセッサによってさらに実行可能である、
［Ｃ３１］に記載の装置。
［Ｃ３４］
前記それぞれの第２の送信電力レベルは、前記それぞれの第１の送信電力レベルに対する事前構成された値のセットのうちの値を備える、
［Ｃ２７］に記載の装置。
［Ｃ３５］
システムにおけるワイヤレス通信のための装置であって、
プロセッサと、
前記プロセッサと電子通信しているメモリと、
前記メモリに記憶され、前記プロセッサによって実行されたとき、前記装置に、
発見基準信号（ＤＲＳ）構成に従って複数のキャリアを通じて第１の基準信号を送信すること、ここにおいて、前記複数のキャリアを通じた送信は、リッスンビフォアトーク（ＬＢＴ）プロシージャの対象となり、前記ＤＲＳ構成は、前記複数のキャリアのために事前構成され、前記第１の基準信号に関連付けられるそれぞれの第１の送信電力レベルを備える、と、
前記複数のキャリアのうちのキャリアの第１のセットを通じてデータ信号送信を送信すること、ここにおいて、前記データ信号送信は、それぞれの第２の送信電力レベルで送信される第２の基準信号を備え、前記それぞれの第２の送信電力レベルは、前記データ信号送信中のキャリアの数に依存する、と
を行わせるように動作可能な命令と
を備える、装置。
［Ｃ３６］
前記命令は、
前記データ信号送信のための少なくとも１つの基準トラフィック対パイロット比（ＴＰＲ）インジケータを構成することと、
キャリアの前記第１のセットによってサービスされるＵＥに前記少なくとも１つの基準ＴＰＲインジケータを送信することと
を行うように前記プロセッサによってさらに実行可能である、［Ｃ３５］に記載の装置。
［Ｃ３７］
前記命令は、
キャリアの前記第１のセットによってサービスされるＵＥに前記それぞれの第２の送信電力レベルのインジケーションを送信することを行うように前記プロセッサによってさらに実行可能である、
［Ｃ３５］に記載の装置。
［Ｃ３８］
前記それぞれの第２の送信電力レベルは、前記それぞれの第１の送信電力レベルに対する事前構成された値のセットに少なくとも部分的に基づく、
［Ｃ３５］に記載の装置。
［Ｃ３９］
前記命令は、
ユーザ機器（ＵＥ）からチャネルフィードバック報告を受信することと、
前記受信されたチャネルフィードバック報告と前記データ信号送信中のキャリアの前記数とに少なくとも部分的に基づいて前記データ信号送信のための変調およびコーディングスキーム（ＭＣＳ）を決定することと
を行うように前記プロセッサによってさらに実行可能である、［Ｃ３５］に記載の装置。
［Ｃ４０］
ワイヤレス通信のためのコードを記憶する非一時的コンピュータ可読媒体であって、前記コードは、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１の基準信号の測定値に少なくとも部分的に基づいてネットワーク報告測定値を決定すること、ここにおいて、前記第１の基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２の基準信号を含む、と、
キャリアの前記第１のセットのための前記第２の基準信号の前記それぞれの第２の送信電力レベルを識別すること、ここにおいて、前記それぞれの第２の送信電力レベルは、前記送信の送信キャリアの数に依存する、と
を行うためにプロセッサによって実行可能な命令を備える、非一時的コンピュータ可読媒体。
［Ｃ４１］
前記命令は、
前記送信に関連する少なくとも１つのトラフィック対パイロット比（ＴＰＲ）インジケータを受信することと、
前記それぞれの第２の送信電力レベルと、前記受信された第２の基準信号の測定電力レベルと、前記少なくとも１つのＴＰＲインジケータとに少なくとも部分的に基づいて前記送信を復調することと
を行うように前記プロセッサによってさらに実行可能である、［Ｃ４０］に記載の非一時的コンピュータ可読媒体。
［Ｃ４２］
前記それぞれの第２の送信電力レベルを前記識別することは、前記第１の基準信号の前記測定値と前記受信された第２の基準信号の前記測定電力レベルとに少なくとも部分的に基づく、
［Ｃ４１］に記載の非一時的コンピュータ可読媒体。
［Ｃ４３］
前記それぞれの第２の送信電力レベルを前記識別することは、前記それぞれの第２の送信電力レベルの少なくとも１つのインジケータを受信することを備える、
［Ｃ４０］に記載の非一時的コンピュータ可読媒体。
［Ｃ４４］
前記命令は、
送信キャリアの前記数に少なくとも部分的に基づいてキャリアの前記第１のセットのうちの少なくとも１つのキャリアのためのチャネルフィードバック測定値を決定することを行うように前記プロセッサによってさらに実行可能である、
［Ｃ４０］に記載の非一時的コンピュータ可読媒体。
［Ｃ４５］
前記チャネルフィードバック測定値を前記決定することは、前記識別されたそれぞれの第２の送信電力レベルに少なくとも部分的に基づいて前記少なくとも１つのキャリアのための複数の送信にわたってチャネル測定値を組み合わせることを備える、
［Ｃ４４］に記載の非一時的コンピュータ可読媒体。
［Ｃ４６］
前記命令は、
基地局に、電力スペクトル密度測定値を示すチャネル状態情報（ＣＳＩ）フィードバックメッセージを送信することを行うように前記プロセッサによってさらに実行可能である、
［Ｃ４４］に記載の非一時的コンピュータ可読媒体。
［Ｃ４７］
前記それぞれの第２の送信電力レベルは、前記それぞれの第１の送信電力レベルに対する事前構成された値のセットのうちの値を備える、
［Ｃ４０］に記載の非一時的コンピュータ可読媒体。
［Ｃ４８］
ワイヤレス通信のためのコードを記憶する非一時的コンピュータ可読媒体であって、前記コードは、
発見基準信号（ＤＲＳ）構成に従って複数のキャリアを通じて第１の基準信号を送信すること、ここにおいて、前記複数のキャリアを通じた送信は、リッスンビフォアトーク（ＬＢＴ）プロシージャの対象となり、前記ＤＲＳ構成は、前記複数のキャリアのために事前構成され、前記第１の基準信号に関連付けられるそれぞれの第１の送信電力レベルを備える、と、
前記複数のキャリアのうちのキャリアの第１のセットを通じてデータ信号送信を送信すること、前記データ信号送信は、それぞれの第２の送信電力レベルで送信される第２の基準信号を備え、前記それぞれの第２の送信電力レベルは、前記データ信号送信中のキャリアの数に依存する、と、
を行うためにプロセッサによって実行可能な命令を備える、非一時的コンピュータ可読媒体。
［Ｃ４９］
前記命令は、
前記データ信号送信のための少なくとも１つの基準トラフィック対パイロット比（ＴＰＲ）インジケータを構成することと、
キャリアの前記第１のセットによってサービスされるＵＥに前記少なくとも１つの基準ＴＰＲインジケータを送信することと
を行うように前記プロセッサによってさらに実行可能である、［Ｃ４８］に記載の非一時的コンピュータ可読媒体。
［Ｃ５０］
前記命令は、
キャリアの前記第１のセットによってサービスされるＵＥに前記それぞれの第２の送信電力レベルのインジケーションを送信することを行うように前記プロセッサによってさらに実行可能である、
［Ｃ４８］に記載の非一時的コンピュータ可読媒体。
［Ｃ５１］
前記それぞれの第２の送信電力レベルは、前記それぞれの第１の送信電力レベルに対する事前構成された値のセットに少なくとも部分的に基づく、
［Ｃ４８］に記載の非一時的コンピュータ可読媒体。
［Ｃ５２］
前記命令は、
ユーザ機器（ＵＥ）からチャネルフィードバック報告を受信することと、
前記受信されたチャネルフィードバック報告と前記データ信号送信中のキャリアの前記数とに少なくとも部分的に基づいて前記データ信号送信のための変調およびコーディングスキーム（ＭＣＳ）を決定することと
を行うように前記プロセッサによってさらに実行可能である、［Ｃ４８］に記載の非一時的コンピュータ可読媒体。
【図１】
0006585198.tif 000003
【図２】
0006585198.tif 000004
【図３Ａ】
0006585198.tif 000005
【図３Ｂ】
0006585198.tif 000006
【図３Ｃ】
0006585198.tif 000007
【図４】
0006585198.tif 000008
【図５】
0006585198.tif 000009
【図６】
0006585198.tif 000010
【図７】
0006585198.tif 000011
【図８】
0006585198.tif 000012
【図９】
0006585198.tif 000013
【図１０】
0006585198.tif 000014
【図１１】
0006585198.tif 000015
【図１２】
0006585198.tif 000016